(57)【要約】【課題】カートリッジケースの脱着時にカートリッジケース等がヘッドに接触し難い熱転写プリンタを提供する。【解決手段】熱転写プリンタ１Ａは、蓋２３が第一位置から第二位置まで移動する過程で、搬送ローラ５１Ｄと第二係合部６３とが係合又は接触し、係合又は接触した状態で、サブアーム６は第三位置から第四位置まで連動し、サブアーム６の第二係合部６３と搬送ローラ５１Ｄとが係合又は接触した時の搬送ローラ５１Ｄと蓋２３との間の最短距離よりも、サブアーム６が第四位置にあるときの搬送ローラ５１Ｄと蓋２３との間の最短距離の方が短い。【選択図】図８
2019077059.tif 000002
【特許請求の範囲】
【請求項１】
上側に開口部を有し、且つ、印刷媒体の少なくとも一部を収容するケースと、
前記ケースの内部に取り付けられ、インクリボンを装着可能なインクリボン支持部材と、
前記ケース又は前記インクリボン支持部材に回転可能に取り付けられ、前記ケースの近傍の第一位置と、前記ケースから前記第一位置より離れた第二位置とに移動可能な移動部材と、
前記移動部材に回転可能に取り付けられたヘッドホルダであって、前記インクリボンを加熱するサーマルヘッドを保持し、且つ、前記サーマルヘッド側の面の近傍に第一係合部を有するヘッドホルダと、
前記ケース又は前記インクリボン支持部材に回転可能に取り付けられたアームであって、
前記移動部材が前記第一位置から前記第二位置に移動することに応じ、第三位置から第四位置まで移動可能であり、
前記ヘッドホルダの前記第一係合部と係合可能な第二係合部を有するアームと、
を備え、
前記移動部材が前記第一位置にあるとき、前記第一係合部と前記第二係合部とは係合せず、前記移動部材が前記第一位置から前記第二位置まで移動する過程で、前記第一係合部と前記第二係合部とが係合又は接触し、係合又は接触した状態で、前記アームは前記第三位置から前記第四位置まで連動し、
前記移動部材が前記第一位置から前記第二位置まで移動する過程で、前記第一係合部と前記第二係合部とが係合又は接触した時の前記第一係合部と前記移動部材との間の最短距離である第一距離よりも、前記アームが前記第四位置にあるときの前記第一係合部と前記移動部材との間の最短距離である第二距離の方が短いことを特徴とする熱転写プリンタ。
【請求項２】
上側に開口部を有し、且つ、印刷媒体の少なくとも一部を収容するケースと、
前記ケースの内部に取り付けられ、インクリボンを装着可能なインクリボン支持部材と、
前記ケース又は前記インクリボン支持部材に回転可能に取り付けられ、前記ケースの近傍の第一位置と、前記ケースから前記第一位置より離れた第二位置とに移動可能な移動部材と、
前記移動部材に回転可能に取り付けられたヘッドホルダであって、前記インクリボンを加熱するサーマルヘッドを保持し、且つ、前記サーマルヘッド側の面の近傍に第一係合部を有するヘッドホルダと、
前記ケース又は前記インクリボン支持部材に回転可能に取り付けられたアームであって、
前記移動部材が前記第一位置から前記第二位置に移動することに応じ、第三位置から第四位置まで移動可能であり、
前記ヘッドホルダの前記第一係合部と係合可能な第二係合部を有するアームと、
を備え、
前記移動部材が前記第一位置にあるとき、前記第一係合部と前記第二係合部とは係合せず、前記移動部材が前記第一位置から前記第二位置まで移動する過程で、前記第一係合部と前記第二係合部とが係合又は接触し、係合又は接触した状態で、前記アームは前記第三位置から前記第四位置まで連動し、
前記アームが前記第四位置にある際の、前記アームが前記ケース又は前記インクリボン支持部材に回転可能に取り付けられた位置から前記第二係合部までの距離は、前記ヘッドホルダが前記移動部材に回転可能に取り付けられた位置までの距離より短いことを特徴とする熱転写プリンタ。
【請求項３】
前記第一係合部は、前記ヘッドホルダの内、前記サーマルヘッドが設けられた位置と、前記ヘッドホルダの回転軸との間の位置に設けられたことを特徴とする請求項１又は２に記載の熱転写プリンタ。
【請求項４】
前記第二係合部は、前記第一係合部が係合する凹部を有することを特徴とする請求項３に記載の熱転写プリンタ。
【請求項５】
前記サーマルヘッドの加熱面は、
前記ヘッドホルダが前記第一位置に配置された状態で、下側を向き、
前記第四位置にある前記アームの前記第二係合部に前記ヘッドホルダの前記第一係合部が係合した状態で、前記移動部材側を向くことを特徴とする請求項３又は４に記載の熱転写プリンタ。
【請求項６】
前記ケースは、
上側に第一開口部を有し、印刷媒体を収容する収容領域を有する第一ケースと、
前記第一ケースに開閉可能に取り付けられ、上側に第二開口部を有し且つ下側に第三開口部を有し、前記第一ケースより上側に配置されている第二ケースと、
を有し、
前記移動部材は、前記第二ケースの前記第二開口部を塞ぐ蓋部であり、
前記インクリボン支持部材は、前記第一ケース又は前記第二ケースに開閉可能に取り付けられ、あるいは、前記第一ケース又は前記第二ケースに固定されていることを特徴とする請求項１乃至５の何れか一に記載の熱転写プリンタ。
【請求項７】
前記ケースは、
上側に第一開口部を有し、前記印刷媒体の収容領域を有する第一ケースと、
前記第一ケースに開閉可能に取り付けられ、下側に第三開口部を有する第二ケースと、
を有し、
前記インクリボン支持部材は、前記第一ケースに開閉可能に又は固定して取り付けられ、
前記移動部材は、前記第一ケース、前記第二ケース、又は前記インクリボン支持部材に回転可能に取り付けられたヘッドアームであることを特徴とする請求項１乃至５の何れか一に記載の熱転写プリンタ。
【請求項８】
前記アームが、前記第三位置に対して前記第四位置と反対側に移動することを規制する規制部材を備えることを特徴とする請求項６又は７に記載の熱転写プリンタ。
【請求項９】
前記インクリボンは、前記インクリボン支持部材に装着されるカートリッジケースに収容され、
前記移動部材は、前記第三位置に配置された状態で、前記インクリボン支持部材に装着された状態の前記カートリッジケースに接触することを特徴とする請求項１乃至８の何れか一に記載の熱転写プリンタ。
【請求項１０】
前記移動部材が前記第二位置に配置された状態で、前記ヘッドホルダは、前記インクリボン支持部材に装着された前記インクリボン、又はカートリッジケースのうち前記移動部材の回転軸に近接する端部より、前記回転軸側に位置することを特徴とする請求項１乃至９の何れか一に記載の熱転写プリンタ。
【発明の詳細な説明】
【技術分野】
【０００１】
本発明は、熱転写プリンタに関する。
【背景技術】
【０００２】
特許文献１は、インクリボン、印刷媒体等の交換が必要な消費材に対する便利なアクセスを提供する媒体処理装置を開示する。媒体処理装置は、ベースと、ベースにヒンジ接続された蓋部とを備える。蓋部が開放位置にある時、ユーザは、インクリボンを保持するカートリッジケースを有するキャビティにアクセス可能となる。又、蓋部が開放位置にある時、ヘッドを保持するヘッドホルダは、カートリッジケースを脱着する時にカートリッジケースが接触しない場所に退避している。
【先行技術文献】
【特許文献】
【０００３】
【特許文献１】特表２０１７−５０３６８４号公報
【発明の概要】
【発明が解決しようとする課題】
【０００４】
しかしながら、カートリッジケースが、閉じた状態の蓋の裏面に対向する位置に配置され、蓋を開放した時にヘッドを保持するヘッドホルダがカートリッジケースより上側に位置する構成とすると、カートリッジケースの脱着時にカートリッジケース等がヘッドに接触してしまう可能性が有る。
【０００５】
本発明の目的は、カートリッジケースの脱着時にカートリッジケース等がヘッドに接触し難い熱転写プリンタを提供することである。
【課題を解決するための手段】
【０００６】
本発明の第一態様に係る熱転写プリンタは、上側に開口部を有し、且つ、印刷媒体の少なくとも一部を収容するケースと、前記ケースの内部に取り付けられ、インクリボンを装着可能なインクリボン支持部材と、前記ケース又は前記インクリボン支持部材に回転可能に取り付けられ、前記ケースの近傍の第一位置と、前記ケースから前記第一位置より離れた第二位置とに移動可能な移動部材と、前記移動部材に回転可能に取り付けられたヘッドホルダであって、前記インクリボンを加熱するサーマルヘッドを保持し、且つ、前記サーマルヘッド側の面の近傍に第一係合部を有するヘッドホルダと、前記ケース又は前記インクリボン支持部材に回転可能に取り付けられたアームであって、前記移動部材が前記第一位置から前記第二位置に移動することに応じ、第三位置から第四位置まで移動可能であり、前記ヘッドホルダの前記第一係合部と係合可能な第二係合部を有するアームと、を備え、前記移動部材が前記第一位置にあるとき、前記第一係合部と前記第二係合部とは係合せず、前記移動部材が前記第一位置から前記第二位置まで移動する過程で、前記第一係合部と前記第二係合部とが係合又は接触し、係合又は接触した状態で、前記アームは前記第三位置から前記第四位置まで連動し、前記移動部材が前記第一位置から前記第二位置まで移動する過程で、前記第一係合部と前記第二係合部とが係合又は接触した時の前記第一係合部と前記移動部材との間の最短距離である第一距離よりも、前記アームが前記第四位置にあるときの前記第一係合部と前記移動部材との間の最短距離である第二距離の方が短いことを特徴とする。
【０００７】
ヘッドホルダの第一係合部は、移動部材の第一位置から第二位置に回転途中に、アームの第二係合部と係合又は接触し、その後、係合又は接触した状態で、移動部材は第二位置にアームと共に回転する。また、移動部材が第一位置から第二位置まで移動する過程で、第一係合部と第二係合部とが係合又は接触した時の第一係合部と移動部材との間の第一距離よりも、アームが第四位置にあるときの第一係合部と移動部材との間の第二距離の方が短い。従って、アームがヘッドホルダと係合又は接触した状態で第四位置に回転しながら、ヘッドホルダのサーマルヘッドは移動部材側を向く。故に、カートリッジケースを脱着する際に、サーマルヘッドに接触すること防止できる。
【０００８】
本発明の第二態様に係る熱転写プリンタは、上側に開口部を有し、且つ、印刷媒体の少なくとも一部を収容するケースと、前記ケースの内部に取り付けられ、インクリボンを装着可能なインクリボン支持部材と、前記ケース又は前記インクリボン支持部材に回転可能に取り付けられ、前記ケースの近傍の第一位置と、前記ケースから前記第一位置より離れた第二位置とに移動可能な移動部材と、前記移動部材に回転可能に取り付けられたヘッドホルダであって、前記インクリボンを加熱するサーマルヘッドを保持し、且つ、前記サーマルヘッド側の面の近傍に第一係合部を有するヘッドホルダと、前記ケース又は前記インクリボン支持部材に回転可能に取り付けられたアームであって、前記移動部材が前記第一位置から前記第二位置に移動することに応じ、第三位置から第四位置まで移動可能であり、前記ヘッドホルダの前記第一係合部と係合可能な第二係合部を有するアームと、を備え、前記移動部材が前記第一位置にあるとき、前記第一係合部と前記第二係合部とは係合せず、前記移動部材が前記第一位置から前記第二位置まで移動する過程で、前記第一係合部と前記第二係合部とが係合又は接触し、係合又は接触した状態で、前記アームは前記第三位置から前記第四位置まで連動し、前記アームが前記第四位置にある際の、前記アームが前記ケース又は前記インクリボン支持部材に回転可能に取り付けられた位置から前記第二係合部までの距離は、前記ヘッドホルダが前記移動部材に回転可能に取り付けられた位置までの距離より短いことを特徴とする。
【０００９】
ヘッドホルダの第一係合部は、移動部材の第一位置から第二位置に回転途中に、アームの第二係合部と係合又は接触し、その後、係合又は接触した状態で、移動部材は第二位置にアームと共に回転する。また、アームが第四位置にある際の、アームがケース又はインクリボン支持部材に回転可能に取り付けられた位置から第二係合部までの距離は、ヘッドホルダが移動部材に回転可能に取り付けられた位置までの距離より短い。従って、アームがヘッドホルダと係合又は接触した状態で第四位置に回転しながら、ヘッドホルダのサーマルヘッドは移動部材側を向く。故に、カートリッジケースを脱着する際に、サーマルヘッドに接触すること防止できる。
【００１０】
第一態様及び第二態様において、前記第一係合部は、前記ヘッドホルダの内、前記サーマルヘッドが設けられた位置と、前記ヘッドホルダの回転軸との間の位置に設けられてもよい。第一係合部はサーマルヘッド側の端部ではなく、サーマルヘッドが設けられた位置と、ヘッドホルダの回転軸との間の位置に設けるので、アームのより少ない回転で、サーマルヘッドを移動部材に近づけることができる。
【００１１】
第一態様及び第二態様において、前記第一係合部は突起部を有し、前記第二係合部は、前記突起部が係合する凹部を有してもよい。ヘッドホルダを第二係合部から容易に取り外すことができ、ヘッドホルダを回転可能な状態にできるので、ヘッドの交換やメンテナンスが容易となる。
【００１２】
第一態様及び第二態様において、前記サーマルヘッドの加熱面は、前記ヘッドホルダが前記第一位置に配置された状態で、下側を向き、前記第四位置にある前記アームの前記第二係合部に前記ヘッドホルダの前記第一係合部が係合した状態で、前記移動部材側を向くようにしてもよい。第四位置に位置する時、アームの第二係合部はヘッドホルダの第一係合部と係合した状態で、ヘッドホルダのサーマルヘッドの過熱面は移動部材側を向く。故に、カートリッジケースを脱着する際に、サーマルヘッドに接触すること防止できる。
【００１３】
第一態様及び第二態様において、前記ケースは、上側に第一開口部を有し、印刷媒体を収容する収容領域を有する第一ケースと、前記第一ケースに開閉可能に取り付けられ、上側に第二開口部を有し且つ下側に第三開口部を有し、前記第一ケースより上側に配置されている第二ケースと、を有し、前記移動部材は、前記第二ケースの前記第二開口部を塞ぐ蓋部であり、前記インクリボン支持部材は、前記第一ケース又は前記第二ケースに開閉可能に取り付けられ、あるいは、前記第一ケース又は前記第二ケースに固定されてもよい。印刷媒体を交換する場合は、第二ケースを開き、インクリボンを交換する場合は、蓋部を開く。従って、消費材を交換する場合に、その種別により操作箇所が異なるので、使用者は、交換する消費材へのアクセスがより分かり易くなる。
【００１４】
第一態様及び第二態様において、前記ケースは、上側に第一開口部を有し、前記印刷媒体の収容領域を有する第一ケースと、前記第一ケースに開閉可能に取り付けられ、下側に第三開口部を有する第二ケースと、を有し、前記インクリボン支持部材は、前記第一ケースに開閉可能に又は固定して取り付けられ、前記移動部材は、前記第一ケース、前記第二ケース、又は前記インクリボン支持部材に回転可能に取り付けられたヘッドアームであってもよい。装置を小型化できる。
【００１５】
第一態様及び第二態様において、前記アームが、前記第三位置に対して前記第四位置と反対側に移動することを規制する規制部材を備えてもよい。アームがインクリボンに接触してしまうのを防ぐことができる。
【００１６】
第一態様及び第二態様において、前記インクリボンは、前記インクリボン支持部材に装着されるカートリッジケースに収容され、前記移動部材は、前記第三位置に配置された状態で、前記インクリボン支持部材に装着された状態の前記カートリッジケースに接触してもよい。インクリボン支持部材が固定されていない場合であっても、カートリッジケースを介してインクリボン支持部材を固定できる。
【００１７】
第一態様及び第二態様において、前記移動部材が前記第二位置に配置された状態で、前記ヘッドホルダは、前記インクリボン支持部材に装着された前記インクリボン、又はカートリッジケースのうち前記移動部材の回転軸に近接する端部より、前記回転軸側に位置してもよい。蓋部を開放した際に、ヘッドホルダは、インクリボン又はカートリッジケースの端部の内で移動部材の回転軸に近接する端部より回転軸側に位置しているので、インクリボン又はカートリッジケースを脱着し易い。
【図面の簡単な説明】
【００１８】
【図１】熱転写プリンタ１Ａ（第二ケース２２：第三位置（閉塞位置）、蓋２３：第一位置（閉塞位置））の斜視図である。
【図２】熱転写プリンタ１Ａ（第二ケース２２：第四位置（開放位置）、蓋２３：第一位置（閉塞位置））の斜視図である。
【図３】熱転写プリンタ１Ａ（第二ケース２２：第三位置（閉塞位置）、蓋２３：第二位置（開放位置））の斜視図である。
【図４】蓋２３、及びヘッドホルダ５の斜視図である。
【図５】インクリボン支持部材３、カートリッジケース４、及びサブアーム６の斜視図である。
【図６】熱転写プリンタ１Ａ（蓋２３：第一位置（閉塞位置））の内部を示す図である。
【図７】熱転写プリンタ１Ａ（蓋２３：第一位置（閉塞位置）〜第二位置（開放位置））の内部を示す図である。
【図８】熱転写プリンタ１Ａ（蓋２３：第二位置（開放位置））の内部を示す図である。
【図９】熱転写プリンタ１Ａ（蓋２３：第二位置（開放位置））の内部を示す図である。
【図１０】熱転写プリンタ１Ａ（蓋２３：第一位置（閉塞位置）〜第二位置（開放位置））の内部を示す図である。
【図１１】熱転写プリンタ１Ａ（蓋２３：第一位置（閉塞位置）〜第二位置（開放位置））の内部を示す図である。
【図１２】熱転写プリンタ１Ａ（蓋２３：第一位置（閉塞位置））の内部を示す図である。
【図１３】第一軸Ｘ１１及び第二軸Ｘ１２の位置関係を示す図である。
【図１４】熱転写プリンタ１Ｂ（第二ケース２２：第三位置（閉塞位置）、蓋２３：第一位置（閉塞位置））の斜視図である。
【図１５】インクリボン支持部材７の斜視図である。
【図１６】インクリボン支持部材７、サブアーム８、ヘッドアーム９の斜視図である。
【図１７】熱転写プリンタ１Ｂ（ヘッドアーム９：第一位置）の内部を示す図である。
【図１８】熱転写プリンタ１Ｂ（ヘッドアーム９：第一位置〜第二位置）の内部を示す図である。
【図１９】熱転写プリンタ１Ｂ（ヘッドアーム９：第一位置〜第二位置）の内部を示す図である。
【図２０】熱転写プリンタ１Ｂ（ヘッドアーム９：第二位置）の内部を示す図である。
【図２１】第一軸Ｘ２１及び第二軸Ｘ２２の位置関係を示す図である。
【図２２】熱転写プリンタ１Ｃ（第二ケース２７：第三位置（閉塞位置）、蓋２８：第一位置（閉塞位置））の斜視図である。
【図２３】熱転写プリンタ１Ｃ（第二ケース２７：第四位置（開放位置）、蓋２８：第一位置（閉塞位置））の斜視図である。
【図２４】熱転写プリンタ１Ｃ（第二ケース２７：第三位置（閉塞位置）、蓋２８：第二位置（開放位置））の斜視図である。
【図２５】熱転写プリンタ１Ｃ（第二ケース２７：第四位置（開放位置）、蓋２８：第一位置（閉塞位置））の断面図である。
【発明を実施するための形態】
【００１９】
＜第一実施形態＞
本発明の第一実施形態に係る熱転写プリンタ１Ａについて、図面を参照して説明する。熱転写プリンタ１Ａは、装着されたインクリボンＲをサーマルヘッド５０によって加熱することで、インクリボンＲのインクを印刷媒体に転写し、印刷を行う。以下、図の説明の理解を助けるため、熱転写プリンタ１Ａの上側、下側、右側、左側、前側、及び、後側を定義する。熱転写プリンタ１Ａの前側、後側、右側、左側、上側、下側、は、それぞれ、図１の左下側、右上側、右下側、左上側、上側、下側に対応する。
【００２０】
＜ケース２Ａ＞
図１に示すように、熱転写プリンタ１Ａは、略直方体状のケース２Ａを備える。ケース２Ａは、第一ケース２１、第二ケース２２、及び蓋２３を有する。第一ケース２１の外面は、熱転写プリンタ１Ａの外面のうち、前面、右面、左面及び後面のそれぞれの下側略半分の部分と、下面とを形成する。第二ケース２２の外面は、熱転写プリンタ１Ａの外面のうち、前面、右面、左面及び後面のそれぞれの上側略半分の部分と、上面の一部とを形成する。蓋２３の外面は、熱転写プリンタ１Ａの外面のうち上面の他部を形成する。即ち、第一ケース２１、第二ケース２２、及び蓋２３は、それぞれ、熱転写プリンタ１Ａの外面の一部を形成する。
【００２１】
図２に示すように、第一ケース２１は、壁部２１Ａ、２１Ｂ、２１Ｃ、２１Ｄ、２１Ｅを有する。壁部２１Ａ、２１Ｂ、２１Ｃ、２１Ｄ、２１Ｅは、それぞれ、第一ケース２１の前壁、右壁、左壁、後壁、及び下壁に対応する。壁部２１Ａ〜２１Ｄのそれぞれの上端部は、第一ケース２１の上側に開口部２１１を形成する。第一ケース２１は、壁部２１Ａ〜２１Ｅで囲まれた内部のうち前端部近傍に、プラテンローラＰを回転可能に支持する。プラテンローラＰの回転軸は、左右方向に延びる。第一ケース２１は、内部のうち後端部近傍に、テープ状の印刷媒体が巻回された媒体ロールＱを回転可能に支持する。以下、第一ケース２１の内部のうち、媒体ロールＱが収容される領域を、「媒体収容領域２１２」という。
【００２２】
壁部２１Ｂ、２１Ｃは、それぞれ、後端部に連結部２１３を有する。各連結部２１３は、壁部２１Ｂ、２１Ｃの上端部よりも上側に突出する。各連結部２１３には、後述する第二ケース２２及びインクリボン支持部材３が回転可能に支持される。
【００２３】
図１に示すように、第二ケース２２は第一ケース２１の上側に配置される。第二ケース２２は、第一ケース２１の連結部２１３に対し、左右方向に延びる第三軸Ｘ１３を中心として回転可能に支持される。第二ケース２２は、第一ケース２１の開口部２１１を開閉可能である。図１は、第二ケース２２が閉塞することにより、第一ケース２１の開口部２１１を第二ケース２２が覆った状態を示す。以下、この状態における第二ケース２２の位置を、「第三位置（閉塞位置）」という。一方、図２は、第二ケース２２が開放することにより、第一ケース２１の開口部２１１を第二ケース２２が覆わない状態を示す。以下、この状態における第二ケース２２の位置を、「第四位置（開放位置）」という。以下、特段の説明のない限り、第二ケース２２が第三位置（閉塞位置）（図１参照）に配置された状態を前提とし、熱転写プリンタ１Ａの各方向を第二ケース２２に適用する。
【００２４】
第二ケース２２は、壁部２２Ａ、２２Ｂ、２２Ｃ、２２Ｄ、２２Ｅを有する。壁部２２Ａ、２２Ｂ、２２Ｃ、２２Ｄ、２２Ｅは、それぞれ、第二ケース２２の前壁、右壁、左壁、後壁、及び上壁の一部に対応する。壁部２２Ａ〜２２Ｄのそれぞれの下端部は、第二ケース２２の下側に開口部２２１（図２参照）を形成する。図３に示すように、壁部２２Ａの上端部に形成された凹部２２２Ａ、及び、壁部２２Ｅの前端部に形成された凹部２２２Ｂは、第二ケース２２に開口部２２２を形成する。開口部２２２は、第三位置（閉塞位置）に配置された状態における第二ケース２２の上側に配置される。
【００２５】
図１に示すように、第二ケース２２が第三位置（閉塞位置）に配置された状態において、壁部２１Ａ、２２Ａのそれぞれの前面、壁部２１Ｂ、２２Ｂのそれぞれの右面、壁部２１Ｃ、２２Ｃのそれぞれの左面、及び、壁部２１Ｄ、２２Ｄのそれぞれの後面は、それぞれ、同一平面上に配置される。つまり、壁部２１Ａ、２２Ａの繋ぎ目、壁部２１Ｂ、２２Ｂの繋ぎ目、壁部２１Ｃ、２２Ｃの繋ぎ目、及び、壁部２１Ｄ、２２Ｄの繋ぎ目に段差は形成されない。
【００２６】
図３に示すように、第二ケース２２は、壁部２２Ａのうち凹部２２２Ａが形成された部分の上端部にロック機構２２３を備える。ロック機構２２３は、左右方向に離隔して配置され且つ互いに内側に付勢された二つのロック部材２２３Ａを有する。
【００２７】
第二ケース２２は、第一ケース２１の連結部２１３に回転可能に支持されたインクリボン支持部材３、及び、インクリボン支持部材３に装着された状態のカートリッジケース４を内部に収容可能である。インクリボン支持部材３及びカートリッジケース４の詳細は、後述する。
【００２８】
図１〜図３に示すように、蓋２３は、第二ケース２２の開口部２２２を開閉可能である。蓋２３は、第二ケース２２に対し、開口部２２２の後端部を通って左右方向に延びる第一軸Ｘ１１を中心として回転可能に支持される。第一軸Ｘ１１は、第二ケース２２の回転軸である第三軸Ｘ１３よりも、前側に配置される。図１、図２は、蓋２３が閉塞することにより、第二ケース２２の開口部２２２を蓋２３が覆った状態を示す。以下、この状態における蓋２３の位置を、「第一位置（閉塞位置）」という。一方、図３は、蓋２３が開放することにより、第二ケース２２の開口部２２２を蓋２３が覆わない状態を示す。以下、この状態における蓋２３の位置を、「第二位置（開放位置）」という。
【００２９】
第二位置（開放位置）は、第二ケース２２が第三位置（閉塞位置）に配置された状態（図３参照）で、第一位置（閉塞位置）よりも上側に配置される。又、第一位置（閉塞位置）は第二ケース２２の近傍の位置を示し、第二位置（開放位置）は第二ケース２２から離隔した位置を示す。蓋２３が第二位置（開放位置）に配置された状態、且つ、後述するインクリボン支持部材３が第二ケース２２に収容された状態（図３参照）で、後述するカートリッジケース４は開口部２２２を介して露出する。蓋２３が第一位置（閉塞位置）に配置された状態（図１参照）で、カートリッジケース４は蓋２３によって上側から覆われる。以下、特段の説明のない限り、第二ケース２２が第三位置（閉塞位置）に配置され、且つ、蓋２３が第一位置（閉塞位置）に配置された状態（図１参照）を前提とし、熱転写プリンタ１Ａの各方向を蓋２３に適用する。
【００３０】
図１に示すように、蓋２３は、壁部２３Ａ、２３Ｂを有する。壁部２３Ａは、第二ケース２２の凹部２２２Ａ（図３参照）と略同一形状を有する。壁部２３Ａの後端部は、第二ケース２２に回転可能に支持される。壁部２３Ｂは、第二ケース２２の凹部２２２Ｂ（図３参照）と同一形状を有する。壁部２３Ｂは、第一位置（閉塞位置）に配置された状態で、壁部２３Ａの前端部から下側に向けて、壁部２３Ａと直交する方向に延びる。つまり、蓋２３の前端部は、蓋２３が第一位置（閉塞位置）に配置された状態で、下方向に曲折する。
【００３１】
蓋２３の壁部２３Ｂの前面に、前方に突出する把手２３１が設けられる。図３に示すように、壁部２３Ｂの下端部に、下方に突出する突起部２３２が設けられる。突起部２３２は、蓋２３が第一位置（閉塞位置）に配置された状態（図１参照）で、第二ケース２２のロック機構２２３の二つのロック部材２２３Ａの間に配置される。二つのロック部材２２３Ａは内側に付勢されているため、二つのロック部材２２３Ａの間からの突起部２３２の脱離は抑制される。このため、蓋２３はロック機構２２３によって第一位置（閉塞位置）のまま維持され、第二位置（開放位置）への回転は規制される。
【００３２】
図１に示すように、蓋２３の壁部２３Ａの上面に、操作部２３４及び表示部２３５が設けられる。操作部２３４は、ボタン等で構成され、使用者の所望の指示を受け付ける。表示部２３５は、液晶モニタ、有機ＥＬ(Electro Luminescence)等のディスプレイ装置等を備える。表示部２３５はタッチパネルを備えてもよい。
【００３３】
図３に示すように、蓋２３の壁部２３Ａの下面に、連結部２３３が設けられる。連結部２３３は、蓋２３の前後方向中央に設けられ、下側に突出する。連結部２３３は、左右方向に離隔する２つの側板部２３３Ａ、及び、２つの側板部２３３Ａの間に架け渡された架設部２３３Ｂを有する。２つの側板部２３３Ａは、それぞれ、左右方向と直交する。２つの側板部２３３Ａのそれぞれの先端部に、左右方向に貫通する孔が設けられる。連結部２３３は、２つの側板部２３３Ａのそれぞれの先端部で、後述するヘッドホルダ５を回転可能に支持する。
【００３４】
＜ヘッドホルダ５、サーマルヘッド５０＞
図４に示すように、ヘッドホルダ５は、基部５１、２つの突出部５１Ａ、２つの突出部５１Ｂ、搬送ローラ５１Ｃ、５１Ｄ、及び、２つの嵌合部５１Ｅを有する。基部５１は、左右両側に側壁部５１１を備える。各側壁部５１１は、左右方向と直交する。各側壁部５１１のうち一方側の端部に、左右外側に突出する突出部５１Ａが設けられる。各突出部５１Ａは、連結部２３３の２つの側板部２３３Ａのそれぞれの孔に内側から挿通する。基部５１の一方側の端部は、２つの側板部２３３Ａのそれぞれの孔を通って左右方向に延びる第二軸Ｘ１２を中心として、蓋２３に回転可能に支持される。各側壁部５１１のうち、２つの突出部５１Ａが設けられる側と反対側（他方側）の端部に、左右外側に突出する突出部５１Ｂが設けられる。
【００３５】
ヘッドホルダ５は、蓋２３が第一位置（閉塞位置）と第二位置（開放位置）との間で移動することに応じ、第二軸Ｘ１２を中心として回転する。図４は、第二ケース２２が第三位置（閉塞位置）に配置され、且つ、蓋２３が第一位置（閉塞位置）に配置された状態におけるヘッドホルダ５の状態を示す（図１参照）。以下、特段の説明のない限り、第二ケース２２が第三位置（閉塞位置）に配置され、且つ、蓋２３が第一位置（閉塞位置）に配置された状態（図４参照）を前提とし、熱転写プリンタ１Ａの各方向をヘッドホルダ５に適用する。
【００３６】
基部５１は、下面のうち２つの突出部５１Ｂの下側に、サーマルヘッド５０を保持する。サーマルヘッド５０は、２つの側壁部５１１の間に亘って左右方向に延びる。サーマルヘッド５０は、左右方向に直線状に並んだ複数の加熱素子を加熱面に有するラインサーマルヘッドである。図４の状態で、サーマルヘッド５０の加熱面は下側を向く。基部５１は、サーマルヘッド５０の左右両側に嵌合部５１Ｅを備える。各嵌合部５１Ｅは、凹部を有する板部材である。各凹部は、嵌合部５１Ｅの下端から上方に向けて延びる。
【００３７】
基部５１は、サーマルヘッド５０に対して前側の近傍に搬送ローラ５１Ｃを備え、後側の近傍に搬送ローラ５１Ｄを備える。搬送ローラ５１Ｄは、基部５１のうち、サーマルヘッド５０が設けられた位置と、２つの突出部５１Ａが設けられた位置との間に設けられる。搬送ローラ５１Ｃ、５１Ｄはそれぞれ円柱状を有し、左右方向に延びる。搬送ローラ５１Ｃ、５１Ｄは、基部５１に対して回転可能に支持される。
【００３８】
＜インクリボン支持部材３＞
図３に示すように、インクリボン支持部材３は、後述するカートリッジケース４を上側から装着可能である。なお、カートリッジケース４には、インクリボンＲ（図５参照）が巻回されたリボンロールＲ１，Ｒ２（図５参照）が保持される。このため、インクリボン支持部材３は、言い換えれば、カートリッジケース４に保持されたインクリボンＲを装着可能であるといえる。
【００３９】
インクリボン支持部材３は第二ケース２２に収容され、且つ、第一ケース２１の連結部２１３に回転可能に支持される（図２、図３参照）。図２は、第四位置（開放位置）に配置された第二ケース２２に収容された状態のインクリボン支持部材３を示す。図３は、第三位置（閉塞位置）に配置された第二ケース２２に収容された状態のインクリボン支持部材３を示す。以下、特段の説明のない限り、第二ケース２２が第三位置（閉塞位置）に配置された状態（図３参照）を前提とし、熱転写プリンタ１Ａの各方向をインクリボン支持部材３に適用する。
【００４０】
図２、図３に示すように、インクリボン支持部材３は、第二ケース２２の内部に収容可能である。第二ケース２２が第三位置（閉塞位置）に配置された状態において、インクリボン支持部材３の後側の一部は、第一ケース２１の媒体収容領域２１２（図２参照）の上側に配置される（図６参照）。又、インクリボン支持部材３の前側の一部は、第一位置（閉塞位置）に配置された状態の蓋２３（図１参照）に対して下側に配置される（図６参照）。
【００４１】
図５に示すように、インクリボン支持部材３は、２つの側壁部３１、架設部３２を有する。２つの側壁部３１は、それぞれ略板状を有し、左右方向に離隔して配置される。各側壁部３１は、左右方向と直交する。２つの側壁部３１の間隔は、第二ケース２２の壁部２２Ｂ、２２Ｃ（図３参照）の間隔と略同一である。２つの側壁部３１は、それぞれ、壁部２２Ｂ、２２Ｃの内側に近接して配置される（図３参照）。架設部３２は、２つの側壁部３１のそれぞれの前端部の間に架け渡される。
【００４２】
各側壁部３１は、後端部から後斜め上側に向けて延びる延設部３１Ａを有する。各延設部３１Ａの先端部は、第一ケース２１の連結部２１３（図２参照）に対し、左右方向に延びる第四軸Ｘ１４を中心として回転可能に接続される。なお、連結部２１３に対して回転可能に支持される第二ケース２２の第三軸Ｘ１３（図２参照）と第四軸Ｘ１４との位置は相違する。
【００４３】
２つの側壁部３１のそれぞれの上端部のうち前後方向中央よりも前側に、２つの突出部３１Ｂが設けられる。各突出部３１Ｂは円柱状を有し、側壁部３１の上端部から上方に突出する。各側壁部３１に設けられた２つの突出部３１Ｂは、前後方向に離隔する。２つの側壁部３１のそれぞれの上端部のうち、２つの突出部３１Ｂよりも外側に、突出部３１Ｃが設けられる。各突出部３１Ｃは板状を有し、側壁部３１の上端部から上方に突出する。左側の側壁部３１に設けられた突出部３１Ｃは、上端部のうち前端部から後端部に亘って延びる。一方、右側の側壁部３１に設けられた突出部３１Ｃは、上端部のうち２つの突出部３１Ｂの前側及び後側に１つずつ設けられる。
【００４４】
２つの側壁部３１のそれぞれの内面のうち、前後方向中央よりも前側に、溝状のガイド部３１Ｄが設けられる。各ガイド部３１Ｄは円弧状に湾曲する。各ガイド部３１Ｄは、各側壁部３１の上端部のうち２つの突出部３１Ｂの間の部分から下方に向けて延び、前方に湾曲して前方に更に延びる。各ガイド部３１Ｄの幅は、各側壁部３１の上端部に連通する分の近傍で、上側に向かうに従って次第に広くなる。詳細は後述するが、ガイド部３１Ｄには、ヘッドホルダ５の突出部５１Ｂが係合可能である。
【００４５】
各側壁部３１は、上端部のうち突出部３１Ｃよりも後側から上側に向けて延びる延設部３１Ｅを有する。各延設部３１Ｅの先端部から内側に向けて、円柱状の突出部３１１が突出する。突出部３１１には、後述するサブアーム６が回転可能に支持される。
【００４６】
＜カートリッジケース４、インクリボンＲ＞
図３に示すように、カートリッジケース４は、インクリボン支持部材３に対して上側から装着されて使用される。以下、特段の説明のない限り、第三位置（閉塞位置）に配置された状態の第二ケース２２に収容されたインクリボン支持部材３にカートリッジケース４が装着された場合（図３参照）を前提とし、熱転写プリンタ１Ａの各方向をカートリッジケース４に適用する。
【００４７】
図５に示すように、カートリッジケース４は、２つの延伸部４１、架設部４２、４３、２つの第一側壁部４４、及び、２つの第二側壁部４５を有する。２つの延伸部４１は、それぞれ前後方向に延び、左右方向に離隔して配置される。第一側壁部４４は、下端が湾曲した板状を有し、２つの延伸部４１のそれぞれの後端部から下方に向けて延びる。各第一側壁部４４には、上端部から下方に向けて凹む凹部４４Ａが設けられる。架設部４２は板状を有し、２つの第一側壁部４４の後端部及び下端部の間に架け渡される。以下、２つの第一側壁部４４、及び架設部４２によって囲まれた領域を、「リボン収容領域Ｈ１」（図３参照）という。第二側壁部４５は、下端が湾曲した板状を有し、２つの延伸部４１のそれぞれの前端部から下方に向けて延びる。各第二側壁部４５には、上端部から下方に向けて凹む凹部４５Ａが設けられる。架設部４３は板状を有し、２つの第二側壁部４５の前端部及び下端部の間に架け渡される。以下、２つの第二側壁部４５、及び架設部４３によって囲まれた領域を、「リボン収容領域Ｈ２」（図３参照）という。カートリッジケース４の下端部には、２つの第一側壁部４４の下端部に架設された架設部４２、及び、２つの第二側壁部４５の下端部に架設された架設部４３との間に、矩形状の開口部４６（図３参照）が形成される。
【００４８】
２つの延伸部４１は、それぞれ、第一側壁部４４及び第二側壁部４５が接続する部分の間の部分に、２つの孔４１Ａを有する。２つの孔４１Ａはそれぞれ円形である。２つの孔４１Ａの間の間隔は、インクリボン支持部材３に設けられた２つの突出部３１Ｂの間の間隔と等しい。
【００４９】
インクリボンＲは、一端側に接続された第一スプールＲ１１にロール状に巻回され、且つ、他端側に接続された第二スプールＲ２１にロール状に巻回された状態とされる。以下、第一スプールＲ１１に巻回されたインクリボンＲを、「リボンロールＲ１」といい、第二スプールＲ２１に巻回されたインクリボンＲを、「リボンロールＲ２」という。
【００５０】
リボンロールＲ１は、２つの第一側壁部４４のそれぞれの凹部４４Ａに第一スプールＲ１１が上側から進入することによって、カートリッジケース４に収容される。リボンロールＲ２は、２つの第二側壁部４５のそれぞれの凹部４５Ａに第二スプールＲ２１が上側から進入することによって、カートリッジケース４に収容される。リボンロールＲ１はリボン収容領域Ｈ１に保持され、リボンロールＲ２はリボン収容領域Ｈ２に保持される。第一スプールＲ１１及び第二スプールＲ２１のそれぞれの中心は左右方向に延び、且つ、前後方向に所定距離Ｌ離隔する。第一スプールＲ１１は、第二スプールＲ２１に対して後側に配置される。第一スプールＲ１１及び第二スプールＲ２１は、それぞれ、カートリッジケース４に回転可能に支持される。リボンロールＲ１、Ｒ２間に亘って延びるインクリボンＲは、カートリッジケース４の下端部の開口部４６（図３参照）の上側を通過する。第一スプールＲ１１及び第二スプールＲ２１は、リボンロールＲ１からインクリボンＲが繰り出され、リボンロールＲ２にインクリボンＲが巻き取られる向きに回転する。この場合、インクリボンＲのうちリボンロールＲ１、Ｒ２間に亘って延びる部分は、前側に移動する。この方向は、熱転写プリンタ１Ａにより印刷が実行される場合において、媒体ロールＱ（図２参照）から繰り出される印刷媒体の移動方向と一致する。
【００５１】
カートリッジケース４は、インクリボン支持部材３のうち前後方向中央よりも前側の部分に対し、上側から装着される。このとき、カートリッジケース４の２つの延伸部４１の下端部は、それぞれ、インクリボン支持部材３の側壁部３１の上端部に接触する。カートリッジケース４の孔４１Ａに、インクリボン支持部材３の突出部３１Ｂが下側から嵌る（図３参照）。カートリッジケース４の２つの延伸部４１は、インクリボン支持部材３の突出部３１Ｃによって左右外側から挟持される。
【００５２】
＜サブアーム６＞
サブアーム６は、インクリボン支持部材３に回転可能に支持される。サブアーム６は、蓋２３の回転に応じてヘッドホルダ５が移動することに応じ、回転する。図３は、蓋２３が第二位置（開放位置）に配置された状態におけるサブアーム６を示す。図５は、蓋２３が第一位置（閉塞位置）に配置された状態におけるサブアーム６を示す。以下、特段の説明のない限り、蓋２３が第一位置（閉塞位置）に配置された状態（図５参照）を前提とし、熱転写プリンタ１Ａの各方向をサブアーム６に適用する。
【００５３】
図５に示すように、サブアーム６は、２つの延伸部６１及び架設部６２を有する。２つの延伸部６１は、それぞれ前後方向に延びる。各延伸部６１は、前後方向中央に屈曲部を有する。２つの延伸部６１は、左右方向に離隔して配置される。架設部６２は略板状を有し、２つの延伸部６１のそれぞれの前後方向中央の部分の間に架け渡される。
【００５４】
各延伸部６１は、第二係合部６３を前端部に有する。第二係合部６３には凹部６３Ａが形成される。凹部６３Ａは、第二係合部６３の前斜め下の端部から、後斜め上側に向けて延びる。第二係合部６３は、ヘッドホルダ５の搬送ローラ５１Ｄ（図４参照）に係合可能である。各延伸部６１の後端部に、左右方向に貫通する孔６４が形成される。インクリボン支持部材３の突出部３１１は、外側から孔６４に挿通する。サブアーム６は、２つの延伸部６１のそれぞれの後端部において、左右方向に延びる第五軸Ｘ１５を中心としてインクリボン支持部材３に回転可能に支持される。
【００５５】
＜蓋２３の開放動作＞
図６〜図８を参照し、蓋２３が第一位置（閉塞位置）から第二位置（開放位置）まで移動する場合における各機構の動作について説明する。なお、第二ケース２２は第三位置（閉塞位置）で維持される。リボンロールＲ１、Ｒ２がカートリッジケース４に収容されていない場合を例示する。この動作は、例えば使用者が、インクリボン支持部材３に装着された空のカートリッジケース４にリボンロールＲ１、Ｒ２を収容する目的で、蓋２３を開放させる場合に行われる。
【００５６】
図６は、蓋２３が第一位置（閉塞位置）に配置された状態を示す。蓋２３から延びる連結部２３３は、カートリッジケース４のリボン収容領域Ｈ１、Ｈ２の間に上側から進入する。ヘッドホルダ５の突出部５１Ｂ（図４参照）は、インクリボン支持部材３のガイド部３１Ｄに沿って下端部まで移動している。ヘッドホルダ５の回転軸である第二軸Ｘ１２は、リボン収容領域Ｈ１、Ｈ２間に配置される。ヘッドホルダ５は、カートリッジケース４の下端部の開口部４６を上下方向に横断し、リボン収容領域Ｈ２の下側に配置される。サーマルヘッド５０の加熱面は下側を向き、プラテンローラＰに対して上側に対向する。ヘッドホルダ５の嵌合部５１Ｅは、プラテンローラＰの左右両端部に設けられた軸受に、上側から嵌合する。これによって、プラテンローラＰに対するサーマルヘッド５０の位置は保持される。第二軸Ｘ１２からサーマルヘッド５０に向けて延びるヘッドホルダ５の延伸方向は、右側から見た場合において、前方に対して下側に傾斜する。以下、この状態におけるヘッドホルダ５の位置を、「印刷位置」という。
【００５７】
サブアーム６は、カートリッジケース４の延伸部４１（図５参照）の上端部に沿って配置される。サブアーム６は、回転軸である第五軸Ｘ１５から第二係合部６３に向けて、前方に水平に延びる。以下、この状態におけるサブアーム６の位置を、「第五位置」という。
【００５８】
図７は、蓋２３が第一位置（閉塞位置）から第二位置（開放位置）に向けて回転する過程の状態を示す。ヘッドホルダ５の嵌合部５１Ｅは、プラテンローラＰの軸受から脱離している。ヘッドホルダ５の突出部５１Ｂ（図４参照）は、インクリボン支持部材３のガイド部３１Ｄに沿って移動し、ガイド部３１Ｄの上端部に達している。連結部２３３は、インクリボン支持部材３よりも上側に移動し、ヘッドホルダ５の第二軸Ｘ１２は、第二ケース２２よりも上側に配置される。ヘッドホルダ５は、カートリッジケース４の開口部４６よりも上側に移動する。カートリッジケース４のリボン収容領域Ｈ１、Ｈ２の間に、ヘッドホルダ５の先端部が配置される。サーマルヘッド５０は、ヘッドホルダ５の基部５１の後側に配置される。第二軸Ｘ１２からサーマルヘッド５０に向けて延びるヘッドホルダ５の延伸方向は、右側から見た場合において下方を向く。サブアーム６は、図６の場合と同様、第五位置に配置される。ヘッドホルダ５の移動に応じ、サブアーム６の第二係合部６３に、ヘッドホルダ５の搬送ローラ５１Ｄが係合している。蓋２３が第一位置から第二位置に向けて回転する過程で、サブアーム６の第二係合部６３に、ヘッドホルダ５の搬送ローラ５１Ｄが接触した時の搬送ローラ５１Ｄと蓋２３との最短距離を、第一距離といい、Ｍ２１と表記する。
【００５９】
蓋２３が更に第二位置（開放位置）に向けて回転した場合、ヘッドホルダ５の突出部５１Ｂ（図４参照）は、インクリボン支持部材３のガイド部３１Ｄから上側に脱離する。サブアーム６の第二係合部６３にヘッドホルダ５の搬送ローラ５１Ｄが係合した状態は維持される。この状態で蓋２３が回転することに応じ、サブアーム６は、回転軸である第五軸Ｘ１５を中心として回転する。更にサブアーム６は、第五軸Ｘ１５から第二係合部６３に向けて延びる方向が、垂直方向よりも後側を向いた状態となった場合、ヘッドホルダ５に対して後向きの力を作用させ、サーマルヘッド５０を蓋２３に近づける。
【００６０】
図８は、蓋２３が第二位置（開放位置）まで移動した状態を示す。ヘッドホルダ５は、第二ケース２２の上側に配置される。サブアーム６のうち回転軸である第五軸Ｘ１５から第二係合部６３に向けて延びる方向は、上方に対して後方に傾斜する。以下、この状態におけるサブアーム６の位置を、「第六位置」という。第二軸Ｘ１２からサーマルヘッド５０に向けて延びるヘッドホルダ５の延伸方向は、下方に対して前方に僅かに傾斜する。サーマルヘッド５０の加熱面は、蓋２３側を向く。以下、この状態におけるヘッドホルダ５の位置を、「退避位置」という。ヘッドホルダ５が退避位置に配置された場合において、蓋２３と搬送ローラ５１Ｄとの間の最短距離を、第二距離といい、Ｍ１２と表記する。この場合、第二距離Ｍ１２は、蓋２３が第一位置から第二位置に向けて回転する過程で、サブアーム６の第二係合部６３に、ヘッドホルダ５の搬送ローラ５１Ｄが接触した時の第一距離Ｍ１１よりも短い。
【００６１】
また、サブアーム６が第六位置に位置する状態において、第五軸Ｘ１５とサブアーム６の第二係合部６３との間の距離、第五軸Ｘ１５と第二軸Ｘ１２との間の距離を、それぞれ、第三距離、第四距離といい、Ｍ２３、Ｍ２４と表記する。この場合、第三距離Ｍ２３は、第四距離Ｍ２４より短い。
【００６２】
ヘッドホルダ５は、カートリッジケース４の後端部よりも後側、言い換えれば、蓋２３の回転軸である第一軸Ｘ１１に近接する側の端部よりも、第一軸Ｘ１１側に配置される。このため、例えは使用者が、カートリッジケース４にリボンロールＲ１、Ｒ２を収容するためにカートリッジケース４をインクリボン支持部材３から取り外す場合において、カートリッジケース４を上方に移動させても、カートリッジケース４はヘッドホルダ５に接触しない。又、サーマルヘッド５０の加熱面は蓋２３側を向くため、使用者は、上記操作を行う場合にサーマルヘッド５０に接触し難い。
【００６３】
＜蓋２３の閉塞動作＞
図９〜図１２を参照し、蓋２３が第二位置（開放位置）から第一位置（閉塞位置）まで移動する場合における、各機構の動作について説明する。なお、第二ケース２２は第三位置（閉塞位置）で維持される。この動作は、例えば使用者が、リボンロールＲ１、Ｒ２が収容されたカートリッジケース４をインクリボン支持部材３に装着した後、熱転写プリンタ１Ａによる印刷を開始する目的で、蓋２３を閉塞させる場合に対応する。この場合、使用者は、第一ケース２１に収容された媒体ロールＱから印刷媒体を繰り出し、プラテンローラＰの上側に配置させた状態で、蓋２３を閉塞させる。
【００６４】
図９は、蓋２３が第二位置（開放位置）に配置された状態を示す。サブアーム６は第六位置に配置され、退避位置に配置されたヘッドホルダ５の搬送ローラ５１Ｄに第二係合部６３が係合している。
【００６５】
図１０は、蓋２３が第二位置（開放位置）（図９参照）から第一位置（閉塞位置）（図１２参照）に向けて回転する過程の状態を示す。サブアーム６の第二係合部６３にヘッドホルダ５の搬送ローラ５１Ｄが係合した状態で、蓋２３が回転する。これによって、サブアーム６は第五軸Ｘ１５を中心として回転する。サブアーム６は、第五軸Ｘ１５から第二係合部６３に向けて延びる方向が、垂直方向よりも前側を向いた状態となった場合、ヘッドホルダ５に対して前向きの力を作用させ、サーマルヘッド５０を蓋２３から遠ざける。ヘッドホルダ５の突出部５１Ｂ（図４参照）は、インクリボン支持部材３のガイド部３１Ｄの上端部に向けて誘導される。
【００６６】
図１１は、図１０の状態から蓋２３が更に第一位置（閉塞位置）（図１２参照）に向けて回転した状態を示す。サブアーム６は第五位置に配置され、第二係合部６３から搬送ローラ５１Ｄが脱離する。ヘッドホルダ５の突出部５１Ｂ（図４参照）は、インクリボン支持部材３のガイド部３１Ｄに進入する。ヘッドホルダ５は、カートリッジケース４に収容されたリボンロールＲ１、Ｒ２の間に配置され、下方に移動する。ヘッドホルダ５の搬送ローラ５１Ｃは、第二軸Ｘ１２からサーマルヘッド５０に向かって延びるヘッドホルダ５の延伸方向が下方を向いた状態で、リボンロールＲ１、Ｒ２間に亘って延びるインクリボンＲに上側から接触する。ヘッドホルダ５は、リボンロールＲ１、Ｒ２間の隙間を通過して下方に移動する。ヘッドホルダ５は、リボンロールＲ１、Ｒ２に接触しない。
【００６７】
図１２は、蓋２３が第一位置（閉塞位置）に配置された状態を示す。ヘッドホルダ５の突出部５１Ｂ（図４参照）は、インクリボン支持部材３のガイド部３１Ｄに沿って下端部まで移動する。ヘッドホルダ５は印刷位置に配置される。サーマルヘッド５０の加熱面は下側を向き、プラテンローラＰ（図２参照）に対して上側に対向する。このとき、インクリボンＲ及び印刷媒体は、サーマルヘッド５０とプラテンローラＰによって上下方向の両側から挟まれる。ヘッドホルダ５の嵌合部５１Ｅは、プラテンローラＰの左右両端部に設けられた軸受に、上側から嵌合する。これによって、プラテンローラＰに対するサーマルヘッド５０の位置は保持される。
【００６８】
この状態で、印刷媒体及びインクリボンＲは、プラテンローラＰとサーマルヘッド５０とで挟まれた部分において前側に搬送される。ヘッドホルダ５の搬送ローラ５１Ｃ、５１Ｄは、インクリボンＲの搬送に応じて回転する。サーマルヘッド５０が加熱されることによって、インクリボンＲのインクは印刷媒体に転写される。これによって、印刷媒体に対する印刷が実行される。
【００６９】
＜第一軸Ｘ１１、第二軸Ｘ１２の配置＞
図１３を参照し、ヘッドホルダ５が印刷位置に配置された状態における第一軸Ｘ１１及び第二軸Ｘ１２の配置について説明する。なお、第二ケース２２は第三位置（閉塞位置）に配置され、蓋２３は第一位置（閉塞位置）に配置される。リボンロールＲ１、Ｒ２が収容された状態のカートリッジケース４がインクリボン支持部材３に装着された場合において、第一スプールＲ１１の中心が配置される位置を、「第一中心Ｃ１１」といい、第二スプールＲ２１の中心が配置される位置を、「第二中心Ｃ１２」という。第一中心Ｃ１１と第二中心Ｃ１２とは、それぞれ左右方向に延びる。第一中心Ｃ１１と第二中心Ｃ１２との間は、前後方向に所定距離Ｌ離隔する。なお、リボンロールＲ１、Ｒ２のそれぞれの最大半径Ｒｍは、第一中心Ｃ１１及び第二中心Ｃ１２からカートリッジケース４の下端部までの間の長さに対応し、所定距離Ｌを２で除算した距離（「半分距離Ｌ／２」という。）よりも小さい。
【００７０】
第一中心Ｃ１１と第二中心Ｃ１２とを含む仮想平面を、「平面Ｓ１１」という。平面Ｓ１１は水平となり、左右方向から見たときに前後方向に直線状に延びる。平面Ｓ１１よりも下側に、半分距離Ｌ／２離隔した位置に配置される仮想平面を、「平面Ｓ１２」という。平面Ｓ１２は、カートリッジケース４の下端部よりも下側に配置される。又、平面Ｓ１２は、プラテンローラＰの中心Ｐ１、及び、印刷媒体が巻回された媒体ロールＱの中心Ｑ１よりも上側に配置される。平面Ｓ１１よりも上側に、半分距離Ｌ／２離隔した位置に配置される仮想平面を、「平面Ｓ１３」という。平面Ｓ１３は、第二ケース２２の上端部よりも僅かに下側に配置される。平面Ｓ１２が配置される位置を、「下端位置Ｓｐ１２」といい、平面Ｓ１３が配置される位置を、「上端位置Ｓｐ１３」という。
【００７１】
第一軸Ｘ１１は、
・第二ケース２２の後端部、即ち、第二ケース２２の後側の壁部２２Ｄよりも前側、
・第一中心Ｃ１１よりも後側、
・第二ケース２２の上端部、即ち、第二ケース２２の上側の壁部２２Ｅよりも下側、より詳細には、上端位置Ｓｐ１３よりも下側
・下端位置Ｓｐ１２よりも上側
で囲まれた第一領域Ｔ１に配置される。図１３の場合、第一軸Ｘ１１は、第一領域Ｔ１のうち第二ケース２２の上側の壁部２２Ｅの下側近傍に配置される。より詳細には、第一軸Ｘ１１は、第一領域Ｔ１のうち、第二ケース２２の上側の壁部２２Ｅと平面Ｓ２１との間の中心位置よりも上方、且つ、壁部２２Ｅよりも下方の領域に配置される。
【００７２】
第二軸Ｘ１２は、
・第一中心Ｃ１１よりも前側、
・第二中心Ｃ１２よりも後側、
・第二ケース２２の上側の壁部２２Ｅよりも下側、より詳細には、上端位置Ｓｐ１３よりも下側
・下端位置Ｓｐ１２よりも上側
で囲まれた第二領域Ｔ２に配置される。ここで、第一中心Ｃ１１と第二中心Ｃ１２との間を前後方向に３等分する平面で第二領域Ｔ２を分割したそれぞれの分割領域Ｔ２１、Ｔ２２、Ｔ２３を定義する。分割領域Ｔ２１、Ｔ２２、Ｔ２３は、この順で前側から後側に順番に並ぶ。図１３の場合、第二軸Ｘ１２は、分割領域Ｔ２１、Ｔ２２、Ｔ２３のうち前後方向において中央の分割領域Ｔ２２に配置される。
【００７３】
＜第二実施形態＞
本発明の第二実施形態に係る熱転写プリンタ１Ｂについて、図面を参照して説明する。以下、第一実施形態に係る熱転写プリンタ１Ａと同一の構成については、同一符号を付し、説明を省略又は簡略化する。
【００７４】
＜ケース２Ｂ＞
図１４に示すように、熱転写プリンタ１Ｂは、略直方体状のケース２Ｂを有する。ケース２Ｂは、熱転写プリンタ１Ａ（図１参照）における第二ケース２２（図１参照）の代わりに、第二ケース２４を備える。第二ケース２４は、第一ケース２１の連結部２１３（図２参照）に対し、左右方向に延びる第三軸Ｘ２３を中心として回転可能に支持される。第二ケース２４は、第一ケース２１の開口部２１１（図２参照）を開閉可能である。以下、第二ケース２２の位置（第三位置（閉塞位置）又は第四位置（開放位置））及び方向の定義を、第二ケース２４にも適用する。
【００７５】
第二ケース２４は、壁部２４Ａ、２４Ｂ、２４Ｃ、２４Ｄ、２４Ｅを有する。壁部２４Ａ、２４Ｂ、２４Ｃ、２４Ｄ、２４Ｅは、それぞれ、第二ケース２４の前壁、右壁、左壁、後壁、及び上壁に対応する。壁部２４Ａ〜２４Ｄのそれぞれの下端部は、第二ケース２４の下側に開口部２４１を形成する。第二ケース２４と異なり、壁部２４Ａ、２４Ｅに凹部は形成されず、第二ケース２４は上側に開口部を有しない。壁部２４Ａの前面に、前方に突出する把手２４２が設けられる。第二ケース２４が第三位置（閉塞位置）に配置された状態において、壁部２１Ａ、２４Ａの繋ぎ目、壁部２１Ｂ、２４Ｂの繋ぎ目、壁部２１Ｃ、２４Ｃの繋ぎ目、及び、壁部２１Ｄ、２４Ｄの繋ぎ目に段差は形成されない。
【００７６】
第一ケース２１の連結部２１３（図１参照）には、第一実施形態におけるインクリボン支持部材３（図５参照）の代わりに、インクリボン支持部材７（図１５参照）が回転可能に支持される。インクリボン支持部材７には、カートリッジケース４を装着可能である。カートリッジケース４の構成は、第一実施形態と同一である。第二ケース２４は、インクリボン支持部材７及びカートリッジケース４を内部に収容可能である。
【００７７】
＜インクリボン支持部材７＞
図１５に示すように、インクリボン支持部材７は、リボンロールＲ１，Ｒ２（図５参照）が保持された状態のカートリッジケース４を上側から装着可能である。図１５は、第三位置（閉塞位置）に配置された第二ケース２２に収容された状態のインクリボン支持部材７を示す。以下、インクリボン支持部材３の方向の定義を、インクリボン支持部材７にも適用する。インクリボン支持部材７の後側の一部は、第一ケース２１の媒体収容領域２１２（図２参照）の上側に配置される。
【００７８】
図１６に示すように、インクリボン支持部材７は、２つの側壁部７１、架設部７２を有する。２つの側壁部７１は、それぞれ、第一実施形態におけるインクリボン支持部材３（図５参照）の２つの側壁部３１（図５参照）に対応する。２つの側壁部７１の間隔は、第二ケース２４（図１４参照）の壁部２４Ｂ、２４Ｃの間隔と略同一である。２つの側壁部７１は、それぞれ、壁部２４Ｂ、２４Ｃの内側に近接して配置される。架設部７２は、第一実施形態における架設部３２（図５参照）に対応する。
【００７９】
各側壁部７１は、後端部から後方に向けて延びる延設部７１Ａを有する。各延設部７１Ａの先端部は、第一ケース２１の連結部２１３（図２参照）に対し、左右方向に延びる第四軸Ｘ２４を中心として回転可能に接続される。なお、連結部２１３に対して回転可能に支持される第二ケース２４の第三軸Ｘ２３（図１４参照）と第四軸Ｘ２４との位置は相違する。２つの側壁部７１のそれぞれの上端部に設けられた２つの突出部７１Ｂ及び突出部７１Ｃは、第一実施形態におけるインクリボン支持部材３の２つの突出部３１Ｂ及び突出部３１Ｃ（図５参照）に対応する。インクリボン支持部材７に対してカートリッジケース４が上側から装着されるとき、カートリッジケース４の孔４１Ａに、インクリボン支持部材７の突出部７１Ｂが下側から嵌る（図１５参照）。カートリッジケース４の延伸部４１は、インクリボン支持部材７の突出部７１Ｃによって左右外側から挟持される。
【００８０】
２つの側壁部７１のそれぞれの内面に設けられた溝状のガイド部７１Ｄは、第一実施形態におけるインクリボン支持部材３のガイド部３１Ｄ（図５参照）に対応する。詳細は後述するが、ガイド部７１Ｄには、ヘッドホルダ５の突出部５１Ｂが係合可能である。
【００８１】
各側壁部７１は、内面のうち前後方向中央よりも後側に、内側に向けて突出する突出部７１１、７１２が設けられる。突出部７１１、７１２はそれぞれ円柱状を有する。突出部７１１、７１２は上下方向に並ぶ。突出部７１１は、突出部７１２に対して下側に配置される。突出部７１１には、後述するサブアーム８が回転可能に支持される。突出部７１２には、後述するヘッドアーム９が回転可能に支持される。
【００８２】
＜ヘッドアーム９＞
図１６に示すように、ヘッドアーム９は、２つの基部９１、架設部９２、及び連結部９３を有する。２つの基部９１は、それぞれ略棒状を有し、左右方向に離隔して配置される。２つの基部９１の間隔は、インクリボン支持部材７の２つの側壁部７１の間の間隔と略同一である。架設部９２は板状を有し、２つの基部９１のそれぞれの前端部の間に架け渡される。
【００８３】
ヘッドアーム９は、インクリボン支持部材７の２つの突出部７１２に対して回転可能に支持される。図１５、図１６は、ヘッドアーム９が右側面視にて反時計回り方向に最も回転した状態を示す。この状態で、ヘッドアーム９の２つの基部９１は水平方向に延びる。以下、特段の説明のない限り、ヘッドアーム９が右側面視にて反時計回りに最も回転した状態（図１５、図１６参照）を前提とし、熱転写プリンタ１Ｂの各方向をヘッドアーム９に適用する。又、特段の説明のない限り、回転方向の説明（時計回り方向又は反時計回り方向）は、右側面視の状態を前提とする。
【００８４】
２つの基部９１は、それぞれ、上端部にスリット状の孔９１１を有する。孔９１１は前後方向に延びる。２つの基部９１は、それぞれ、後端部に延設部９４、９５を有する。延設部９４は、各基部９１の後端部から後斜め下側に向けて延びる。２つの延設部９４のそれぞれの後端部に、左右方向に貫通する孔９４１が設けられる。延設部９５は、各延設部９４の後端部から後方に向けて延びる。２つの延設部９４のそれぞれの外面に、外側に突出する突出部９５１が設けられる。
【００８５】
インクリボン支持部材７の２つの突出部７１２は、それぞれ、ヘッドアーム９の２つの孔９４１に外側から挿通する。ヘッドアーム９はインクリボン支持部材７に対し、２つの孔９４１及び２つの突出部７１２を通って左右方向に延びる第一軸Ｘ２１を中心として回転可能に支持される。以下、第一軸Ｘ２１を中心として反時計回り方向に最も回転した場合におけるヘッドアーム９の位置（図２２、図１６参照）を、「第一位置」という。図１５、図１７に示すように、ヘッドアーム９が第一位置に配置された場合、２つの基部９１は、インクリボン支持部材７に装着されたカートリッジケース４の２つの延伸部４１に上側から接触する。又、図１５に示すように、架設部９２は、カートリッジケース４の前後方向中央よりも後側を上側から覆う。カートリッジケース４にリボンロールＲ１、Ｒ２が保持されている場合、リボンロールＲ１は、架設部９２によって上側を覆われる。又、第一位置に配置された状態のヘッドアーム９は、第一ケース２１（図１４参照）に近接する。
【００８６】
一方、図１８〜図２０に示すように、ヘッドアーム９は、第一軸Ｘ２１を中心として、第一位置に対して時計回り方向に回転可能である。図２０は、第一軸Ｘ２１を中心として時計回り方向に最も回転した場合のヘッドアーム９の位置（以下、「第二位置」という。）を示す。ヘッドアーム９が第二位置に配置された状態で、２つの基部９１は、上方斜め後側に延びる。第二位置は、第一位置よりも上側に配置される。又、第二位置に配置された状態のヘッドアーム９は、第一ケース２１から離隔する。
【００８７】
図１６に示すように、架設部９２の下面に、下側に突出する連結部９３が設けられる。連結部９３は、２つの側板部９３Ａ及び架設部９３Ｂを有する。２つの側板部９３Ａは、左右方向に離隔する。２つの側板部９３Ａは、それぞれ、左右方向と直交する。２つの側板部９３Ａのそれぞれの先端部に、左右方向に貫通する孔９３２が設けられる。架設部９３Ｂは板状を有し、２つの側板部９３Ａの間に架け渡される。架設部９３Ｂの前面に把手９３１が設けられる。把手９３１は、前方に向けて延びる板状部を有する。把手９３１は、使用者がインクリボン支持部材７に対してヘッドアーム９を回転させるときに使用される。
【００８８】
連結部９３の先端部にヘッドホルダ５が接続される。ヘッドホルダ５の構成は、第一実施形態と同一である。ヘッドホルダ５の２つの側壁部５１１のそれぞれに設けられた突出部５１Ａは、連結部９３の２つの側板部９３Ａのそれぞれの孔９３２に内側から挿通する。ヘッドホルダ５は、２つの側板部９３Ａのそれぞれの孔９３２を通って左右方向に延びる第二軸Ｘ２２を中心として、ヘッドアーム９に回転可能に支持される。
【００８９】
＜サブアーム８＞
サブアーム８は、インクリボン支持部材７に回転可能に支持される。サブアーム８は、ヘッドアーム９の回転に応じて回転する。図１６は、ヘッドアーム９が第一位置に配置された状態におけるサブアーム８を示す。以下、特段の説明のない限り、ヘッドアーム９が第一位置に配置された状態（図１６参照）を前提とし、熱転写プリンタ１Ｂの各方向をサブアーム８に適用する。
【００９０】
図１６に示すように、サブアーム８は、２つの延伸部８１及び架設部８２を有する。２つの延伸部８１は、それぞれ、第一部８１Ａ、第二部８１Ｂ、第三部８１Ｃを有する。第一部８１Ａは、前後方向に水平に延びる。第二部８１Ｂは、第一部８１Ａの後端部から下側に向けて延びる。第三部８１Ｃは、第二部８１Ｂの後端部から後側に向けて、斜め下方向に延びる。架設部８２は板状を有し、２つの延伸部８１のそれぞれの第一部８１Ａの間に亘って架け渡される。
【００９１】
各延伸部８１の第一部８１Ａの前端部に、凹部８３Ａを有する板状の第二係合部８３が設けられる。凹部８３Ａは、第二係合部８３の前端部から後方に向けて延びる。第二係合部８３は、ヘッドホルダ５の搬送ローラ５１Ｄに係合可能である。各延伸部８１の第三部８１Ｃに、左右方向に貫通する孔８４が形成される。インクリボン支持部材７の突出部７１１は、外側から孔８４に挿通する。サブアーム８は、２つの延伸部８１のそれぞれの後端部近傍において、左右方向に延びる第五軸Ｘ２５を中心としてインクリボン支持部材７に回転可能に支持される。各延伸部８１の第三部８１Ｃの後端部に、凹部８５Ａを有する第三係合部８５が設けられる。第三係合部８５は、ヘッドアーム９の突出部９５１に係合可能である。
【００９２】
＜ヘッドアーム９の開閉動作＞
図１７〜図２０を参照し、ヘッドアーム９が第一位置（図１７参照）と第二位置（図２０参照）との間で移動する場合における各機構の動作について説明する。なお、第二ケース２２は第三位置（閉塞位置）で維持される（図１４参照）。例えば使用者は、カートリッジケース４を取り出してリボンロールＲ１、Ｒ２を収容するために、第二ケース２４（図１４参照）を第四位置（開放位置）に移動させてヘッドアーム９の操作が可能な状態とする。その後、ヘッドアーム９の把手９３１を操作し、ヘッドアーム９を第一位置から第二位置に移動させる。この場合、熱転写プリンタ１Ｂの各機構は、次のように動作する。なお、ヘッドアーム９を第一位置から第二位置に移動させる以下の説明では、図１７〜図２０で示されるリボンロールＲ１、Ｒ２がない状態を想定する。
【００９３】
図１７は、ヘッドアーム９が第一位置に配置された状態を示す。この場合、ヘッドアーム９の連結部９３は、カートリッジケース４のリボン収容領域Ｈ１、Ｈ２の間に上側から進入する。ヘッドホルダ５の突出部５１Ｂ（図１６参照）がインクリボン支持部材７のガイド部７１Ｄに沿って下端部まで移動し、ヘッドホルダ５は印刷位置に配置される。ヘッドホルダ５の回転軸である第二軸Ｘ２２は、リボン収容領域Ｈ１、Ｈ２の間に配置される。第二軸Ｘ２２からサーマルヘッド５０に向けて延びるヘッドホルダ５の延伸方向は、右側から見た場合において、前方に対して下側に傾斜する。
【００９４】
サブアーム８の第一部８１Ａは、カートリッジケース４の延伸部４１の上端部に接触し、水平方向に延びる。サブアーム８の反時計回り方向の回転は、カートリッジケース４に第一部８１Ａが接触することによって規制される。サブアーム８の第二係合部８３の一部は、ヘッドアーム９の孔９１１に下側から進入し、ヘッドアーム９の基部９１よりも上側に突出する。以下、この状態におけるサブアーム８の位置を、「第五位置」という。第五位置は、サブアーム８が反時計回り方向に最も回転した状態に対応する。
【００９５】
図１８は、ヘッドアーム９が第一位置から第二位置に向けて回転する過程の状態を示す。ヘッドホルダ５の突出部５１Ｂ（図１６参照）は、インクリボン支持部材７のガイド部７１Ｄに沿って上側に移動し、ガイド部７１Ｄの上端部に達している。ヘッドアーム９の連結部９３はインクリボン支持部材７よりも上側に移動し、ヘッドホルダ５の第二軸Ｘ２２は、インクリボン支持部材７よりも上側に配置される。ヘッドホルダ５は、カートリッジケース４の開口部４６（図３参照）よりも上側に移動する。カートリッジケース４のリボン収容領域Ｈ１、Ｈ２の間に、ヘッドホルダ５の先端部が配置される。サーマルヘッド５０は、ヘッドホルダ５の基部５１の後側に配置される。第二軸Ｘ２２からサーマルヘッド５０に向けて延びるヘッドホルダ５の延伸方向は、右側から見た場合において下方に延びる。サブアーム８は、図１７の場合と同様、第五位置に配置される。ヘッドホルダ５の移動に応じ、サブアーム８の第二係合部８３に、ヘッドホルダ５の搬送ローラ５１Ｄが接触する。又、サブアーム８の第三係合部８５に、ヘッドアーム９の突出部９５１が後側から係合する。ヘッドアーム９が第一位置から第二位置に向けて回転する過程で、サブアーム８の第二係合部８３に、ヘッドホルダ５の搬送ローラ５１Ｄが接触した時の搬送ローラ５１Ｄとヘッドアーム９との最短距離を、第一距離といい、Ｍ２１と表記する。
【００９６】
図１９は、ヘッドアーム９が第一位置から第二位置に向けて、図１８の場合よりも更に回転した状態を示す。ヘッドホルダ５の突出部５１Ｂ（図１６参照）は、インクリボン支持部材７のガイド部７１Ｄから上側に脱離する。サブアーム８の第三係合部８５にヘッドアーム９の突出部９５１が係合した状態は維持される。この状態でヘッドアーム９が回転することに応じ、サブアーム８は、回転軸である第五軸Ｘ２５を中心として回転する。サブアーム８の第二係合部８３にヘッドホルダ５の搬送ローラ５１Ｄが接触した状態は維持される。
【００９７】
更にヘッドアーム９が第二位置に向けて回転した場合、サブアーム８の第二係合部８３にヘッドホルダ５の搬送ローラ５１Ｄが係合する。サブアーム８は、ヘッドアーム９の回転に応じて回転することにより、第二係合部８３に係合した搬送ローラ５１Ｄを介してヘッドホルダ５に後向きの力を作用させ、サーマルヘッド５０をヘッドアーム９側に近づける。
【００９８】
図２０は、ヘッドアーム９が第二位置まで移動した状態を示す。ヘッドホルダ５は、第二ケース２２の上側に配置される。サブアーム８の第一部８１Ａは垂直方向に延びる。以下、この状態におけるサブアーム８の位置を、「第六位置」という。第二軸Ｘ２２からサーマルヘッド５０に向けて延びるヘッドホルダ５の延伸方向は、下方に対して前方に僅かに傾斜する。ヘッドホルダ５は退避位置に配置され、サーマルヘッド５０の加熱面はヘッドアーム９側を向く。ヘッドホルダ５が退避位置に配置された場合におけるヘッドアーム９と搬送ローラ５１Ｄとの間の最短距離である第二距離を、Ｍ２２と表記する。この場合、第二距離Ｍ２２は、ヘッドアーム９が第一位置から第二位置に向けて回転する過程で、サブアーム８の第二係合部８３に、ヘッドホルダ５の搬送ローラ５１Ｄが接触した時の第一距離Ｍ２１よりも短い。
【００９９】
また、サブアーム８が第六位置に位置する状態において、第五軸Ｘ２５とサブアーム８の第二係合部８３との間の距離、第五軸Ｘ２５と第二軸Ｘ２２との間の距離を、それぞれ、第三距離、第四距離といい、Ｍ２３、Ｍ２４と表記する。この場合、第三距離Ｍ２３は、第四距離Ｍ２４より短い。
【０１００】
ヘッドホルダ５は、カートリッジケース４の後端部よりも後側、言い換えれば、ヘッドアーム９の回転軸である第一軸Ｘ２１に近接する側の端部よりも、第一軸Ｘ２１側に配置される。このため、カートリッジケース４をインクリボン支持部材７から取り外す場合においてカートリッジケース４を上方に移動させても、カートリッジケース４はヘッドホルダ５に接触しない。又、サーマルヘッド５０の加熱面はヘッドアーム９側を向くため、使用者は、上記操作を行う場合にサーマルヘッド５０に接触し難い。
【０１０１】
例えば使用者は、図２０の状態で、リボンロールＲ１、Ｒ２が収容されたカートリッジケース４をインクリボン支持部材７に装着し、その後、熱転写プリンタ１Ｂによる印刷を開始する目的で、ヘッドアーム９の把手９３１を操作してヘッドアーム９を第二位置から第一位置に移動させる。図１９に示すように、サブアーム８の第三係合部８５にヘッドアーム９の突出部９５１が係合した状態で、ヘッドアーム９が第二位置から第一位置に向けて回転する。このため、サブアーム８は、第三係合部８５を介してヘッドアーム９から力を受け、第五軸Ｘ２５を中心として第六位置（図２０参照）から第五位置（図１７参照）に向けて回転する。なお、サブアーム８の第二係合部８３には、ヘッドホルダ５の搬送ローラ５１Ｄが係合している。このためサブアーム８は、ヘッドホルダ５に対して前向きの力を作用させ、サーマルヘッド５０をヘッドアーム９から遠ざける。ヘッドホルダ５の突出部５１Ｂ（図１６参照）は、インクリボン支持部材７のガイド部７１Ｄの上端部に向けて誘導される。
【０１０２】
図１８に示すように、ヘッドアーム９の回転に応じてサブアーム８が第五位置まで移動し、ヘッドホルダ５の搬送ローラ５１Ｄは第二係合部８３から外れる。ヘッドホルダ５の突出部５１Ｂ（図１６参照）は、インクリボン支持部材７のガイド部７１Ｄの上端部まで移動し、その後、ガイド部７１Ｄに進入する。ヘッドホルダ５は、カートリッジケース４に収容されたリボンロールＲ１、Ｒ２の間に配置され、下方に移動する。ヘッドホルダ５の搬送ローラ５１Ｃは、第二軸Ｘ１２からサーマルヘッド５０に向かって延びるヘッドホルダ５の延伸方向が下方を向いた状態で、リボンロールＲ１、Ｒ２間に亘って延びるインクリボンＲに上側から接触する。ヘッドホルダ５は、リボンロールＲ１、Ｒ２間の隙間を通過して下方に移動する。
【０１０３】
図１７に示すように、ヘッドアーム９が第一位置まで移動した場合、ヘッドホルダ５の突出部５１Ｂ（図１６参照）は、インクリボン支持部材３のガイド部３１Ｄに沿って下端部まで移動する。ヘッドホルダ５は印刷位置に配置される。サーマルヘッド５０の加熱面は下側を向き、プラテンローラＰ（図２参照）に対して上側に対向する。このとき、インクリボンＲ及び印刷媒体は、サーマルヘッド５０とプラテンローラＰによって上下方向の両側から挟まれる。この状態で、サーマルヘッド５０が加熱されることによって、インクリボンＲのインクは、印刷媒体に転写され、印刷が実行される。
【０１０４】
＜第一軸Ｘ２１、第二軸Ｘ２２の配置＞
図２１を参照し、ヘッドホルダ５が印刷位置に配置された状態における第一軸Ｘ２１及び第二軸Ｘ２２の配置について説明する。なお、第二ケース２４は第三位置（閉塞位置）に配置され、ヘッドアーム９は第一位置に配置される。リボンロールＲ１、Ｒ２が収容された状態のカートリッジケース４がインクリボン支持部材３に装着された場合において、第一スプールＲ１１の中心が配置される位置を、「第一中心Ｃ２１」といい、第二スプールＲ２１の中心が配置される位置を、「第二中心Ｃ２２」という。第一中心Ｃ２１と第二中心Ｃ２２とは、それぞれ左右方向に延びる。第一中心Ｃ２１と第二中心Ｃ２２との間は、前後方向に所定距離Ｌ離隔する。
【０１０５】
第一中心Ｃ２１と第二中心Ｃ２２とを含む仮想平面を、「平面Ｓ２１」という。平面Ｓ２１は水平となり、左右方向から見たときに前後方向に直線状に延びる。平面Ｓ２１よりも下側に、半分距離Ｌ／２離隔した位置に配置される仮想平面を、「平面Ｓ２２」という。平面Ｓ２１よりも上側に、半分距離Ｌ／２離隔した位置に配置される仮想平面を、「平面Ｓ２３」という。平面Ｓ２３は、第二ケース２２の上端部よりも僅かに下側に配置される。平面Ｓ２２が配置される位置を、「下端位置Ｓｐ２２」といい、平面Ｓ２３が配置される位置を、「上端位置Ｓｐ２３」という。
【０１０６】
第一軸Ｘ２１は、
・第二ケース２４の後端部、即ち、第二ケース２４の後側の壁部２４Ｄよりも前側、
・第一中心Ｃ２１よりも後側、
・第二ケース２４の上端部、即ち、第二ケース２４の上側の壁部２４Ｅよりも下側、より詳細には、上端位置Ｓｐ２３よりも下側
・下端位置Ｓｐ２２よりも上側
で囲まれた第一領域Ｔ３に配置される。図２１の場合、第一軸Ｘ２１は、第一領域Ｔ３のうち平面Ｓ２１の近傍に配置される。より詳細には、第一軸Ｘ２１は、第一領域Ｔ３のうち、平面Ｓ２１と平面Ｓ２３との間の中心位置よりも下方、且つ、平面Ｓ２１と平面Ｓ２２との間の中心位置よりも上方の領域に配置される。
【０１０７】
第二軸Ｘ２２は、
・第一中心Ｃ２１よりも前側、
・第二中心Ｃ２２よりも後側、
・第二ケース２４の上側の壁部２４Ｅよりも下側、より詳細には、上端位置Ｓｐ２３よりも下側
・下端位置Ｓｐ２２よりも上側
で囲まれた第二領域Ｔ４に配置される。ここで、第一中心Ｃ２１と第二中心Ｃ２２との間を前後方向に３等分する平面で第二領域Ｔ４を分割したそれぞれの分割領域Ｔ４１、Ｔ４２、Ｔ４３を定義する。分割領域Ｔ４１、Ｔ４２、Ｔ４３は、この順で前側から後側に順番に並ぶ。図２１の場合、第二軸Ｘ２２は、分割領域Ｔ４１、Ｔ４２、Ｔ４３のうち前後方向において中央の分割領域Ｔ４２に配置される。
【０１０８】
＜第三実施形態＞
本発明の第三実施形態に係る熱転写プリンタ１Ｃについて、図面を参照して説明する。熱転写プリンタ１Ｃは、ケース２Ｃの形状が、第一実施形態における熱転写プリンタ１Ａにおけるケース２Ａ（図１等参照）と相違する。ヘッドホルダ５、インクリボン支持部材３、サブアーム６等の構成は、第一実施形態と同一である。以下、ケース２Ｃの構成について詳細に説明し、その他の構成の説明は省略する。又、ケース２Ａ、２Ｃで共通する構成については説明を簡略化する。
【０１０９】
＜ケース２Ｃ＞
図２２に示すように、熱転写プリンタ１Ｃは、略直方体状のケース２Ｃを備える。ケース２Ｃは、第一ケース２６、第二ケース２７、及び蓋２８を有する。第一ケース２６、第二ケース２７、及び蓋２８は、それぞれ、熱転写プリンタ１Ｃの外面の一部を形成する。図２３に示すように、第一ケース２６は、壁部２６Ａ、２６Ｂ、２６Ｃ、２６Ｄ、２６Ｅ、及び開口部２６１を有する。壁部２６Ａ、２６Ｂ、２６Ｃ、２６Ｄ、２６Ｅ、及び開口部２６１は、それぞれ、第一実施形態におけるケース２Ａ（図２参照）の壁部２１Ａ、２１Ｂ、２１Ｃ、２１Ｄ、２１Ｅ、及び開口部２１１に対応する。第一ケース２６は、媒体ロールＱが回転可能に支持される媒体収容領域２６２を内部に有する。ケース２Ｃは、各壁部２６Ａ〜２６Ｅがそれぞれ接続する部分、即ち、第一ケース２６の角が湾曲するという点で、ケース２Ａ（図１参照）と相違する。
【０１１０】
図２２、図２３に示すように、ケース２Ｃの壁部２６Ｂに、上下動可能なレバー２６３が設けられる。図２３に示すように、ケース２Ｃの内部のうち壁部２６Ａの左右両端部の近傍に、かぎ状を有する係合部２６５がそれぞれ設けられる。係合部２６５は、レバー２６３を下方に移動させる操作に応じ、上端部が後側に移動する向きに回転する。係合部２６５は、後述する第二ケース２７の非図示の被係合部に係合可能である。
【０１１１】
第二ケース２７は第一ケース２６の上側に配置される。第二ケース２７は、第一ケース２６の後端部を左右方向に延びる第三軸Ｘ３３を中心として、第一ケース２６に対して回転可能に支持される。第二ケース２７は、第三位置（閉塞位置）に配置された状態（図２２参照）で、第一ケース２６の開口部２６１を上側から覆う。一方、第二ケース２７は、第四位置（開放位置）に配置された状態（図２３参照）で、第一ケース２１の開口部２６１を覆わない。以下、特段の説明のない限り、第二ケース２７が第三位置（閉塞位置）（図２２参照）に配置された状態を前提として説明する。
【０１１２】
図２２に示すように、第二ケース２７は、壁部２７Ａ、２７Ｂ、２７Ｃ、２７Ｄ、２７Ｅを有する。壁部２７Ａ、２７Ｂ、２７Ｃ、２７Ｄ、２７Ｅは、それぞれ、第二ケース２７の前壁、右壁、左壁、後壁、及び上壁の一部に対応する。壁部２７Ｅは、壁部２７Ｂ、２７Ｃの上端部のうち前後方向中央よりも後側、及び、壁部２７Ｄの上端部に接続する。壁部２７Ｅは、後方に向けて下方に傾斜する。壁部２７Ａ〜２７Ｅがそれぞれ接続する部分、即ち、第二ケース２７の角は湾曲する。
【０１１３】
壁部２７Ａ〜２７Ｄのそれぞれの下端部は、第二ケース２７の下側に開口部２７１（図２３参照）を形成する。図２４に示すように、壁部２７Ａの上端部、壁部２７Ｂ、２７Ｃのそれぞれの上端部の一部、及び壁部２７Ｅの前端部は、第二ケース２７に開口部２７２を形成する。開口部２７２は、第三位置（閉塞位置）に配置された状態における第二ケース２７の上側に配置される。
【０１１４】
ケース２Ｃの内部のうち、壁部２７Ａの左右両端部の近傍に、第二ケース２７の係合部２６５（図２３参照）に係合可能な非図示の被係合部がそれぞれ設けられる。被係合部に係合部２６５が係合した状態で、第二ケース２７は第三位置（閉塞位置）で保持され、第四位置（開放位置）に向けた回転は抑制される（図２２参照）。一方、第一ケース２６に設けられたレバー２６３が下方に移動した場合、被係合部から係合部２６５が外れる。この状態で、第二ケース２７は、第三位置（閉塞位置）から第四位置（開放位置）に向けて回転することが可能となる。このため、例えば使用者は、レバー２６３を下方に移動させる操作を行うことによって、第二ケース２７を第四位置（開放位置）に移動させて開口部２６１を開放させ、第一ケース２６の媒体収容領域２６２に媒体ロールＱをセットできる。
【０１１５】
図２２、図２４に示すように、第一ケース２６の壁部２７Ａの上端部に形成された凹部、及び、第二ケース２７の壁部２７Ａの下端部に形成された凹部は、ケース２Ｃの前側に排出口２６６を形成する。熱転写プリンタ１Ｃの内部で印刷された印刷媒体は、排出口２６６を介して外部に排出される。
【０１１６】
図２２、図２４に示すように、蓋２８は、第二ケース２７の開口部２７２（図２４参照）を開閉可能である。蓋２８は、開口部２７２と同一形状を有し、前端部と両側端部は下側方向に湾曲している。蓋２８は、第二ケース２７に対し、開口部２７２の後端部を通って左右方向に延びる第一軸Ｘ３１を中心として回転可能に支持される。第一軸Ｘ３１は、第二ケース２７の回転軸である第三軸Ｘ３３よりも前側に配置される。開口部２７２を閉塞した蓋２８の位置（図２２参照）は、第一位置（閉塞位置）に対応し、開口部２７２を開放した蓋２８の位置（図２４参照）は、第二位置（開放位置）に対応する。第一軸Ｘ３１は、第一位置（閉塞位置）に配置された状態における蓋２８の後端部を通過する。以下、特段の説明のない限り、第二ケース２７が第三位置（閉塞位置）に配置され、且つ、蓋２８が第一位置（閉塞位置）に配置された状態（図２２参照）を前提とし、熱転写プリンタ１Ｃの各方向を蓋２８に適用する。
【０１１７】
図２２に示すように、蓋２８の前端部にロック機構２８１が設けられる。ロック機構２８１の後端部は、蓋２８に回転可能に支持される。ロック機構２８１は、蓋２８が第一位置（閉塞位置）に配置された状態で、反時計回り方向に回転することによって、第二ケース２７の壁部２７Ａの上端部に係合可能である。この場合、蓋２８はロック機構２８１によって第一位置（閉塞位置）のまま維持され、第二位置（開放位置）への回転は規制される。又、ロック機構２８１は、この状態で時計回りに回転することによって、壁部２７Ａとの係合状態を解除可能である。なお、蓋２８が第二位置（開放位置）に配置された状態で、カートリッジケース４は開口部２７２を介して露出する。このため、例えば使用者は、ロック機構２８１を時計回り方向に回転させる操作を行うことによって、蓋２８を第一位置（閉塞位置）から第二位置（開放位置）に移動させ、インクリボン支持部材３からカートリッジケース４を取り出すことができる。
【０１１８】
図２４に示すように、蓋２８の下面に連結部２８３が設けられる。連結部２８３は、蓋２８の下面から下側に突出する。連結部２８３の先端部に、ヘッドホルダ５が回転可能に支持される。ヘッドホルダ５の回転軸である第二軸Ｘ３２は、第一実施形態における第二軸Ｘ１２（図３参照）に対応する。図２５に示すように、第二ケース２７は、インクリボン支持部材３、及び、インクリボン支持部材３に装着された状態のカートリッジケース４を内部に収容可能である。第一実施形態と異なり、インクリボン支持部材３は、側壁部３１から延びる延設部３１Ａにおいて、第二ケース２７に対して回転可能に支持される。インクリボン支持部材３の回転軸である第四軸Ｘ３４、及び、サブアーム６の回転軸である第五軸Ｘ３５は、それぞれ、第一実施形態における第四軸Ｘ１４及び第五軸Ｘ１５（図５等参照）に対応する。
【０１１９】
＜本実施形態の作用、効果＞
第一実施形態〜第三実施形態において、熱転写プリンタ１Ａ，１Ｂ，１Ｃは、上側に開口部２１１，２６１を有し、且つ、媒体ロールＱを収容するケース２Ａ，２Ｂ，２Ｃと、ケース２Ａ，２Ｂ，２Ｃの内部に取り付けられ、インクリボンＲを装着可能なインクリボン支持部材３と、ケース２Ａ，２Ｂ，２Ｃ又はインクリボン支持部材３に回転可能に取り付けられ、ケース２Ａ，２Ｂ，２Ｃの近傍の第一位置と、ケースから第一位置より離れた第二位置とに移動可能な蓋２３，２８又はヘッドアーム９と、を備える。熱転写プリンタ１Ａ，１Ｂ，１Ｃは、蓋２３，２８又はヘッドアーム９に回転可能に取り付けられたヘッドホルダ５であって、サーマルヘッド５０を保持し、且つ、サーマルヘッド５０側の面の近傍に搬送ローラ５１Ｄを有するヘッドホルダ５と、インクリボン支持部材３に回転可能に取り付けられたサブアーム８であって、蓋２３，２８又はヘッドアーム９が第一位置から第二位置に移動することに応じ、第三位置から第四位置まで移動可能であり、搬送ローラ５１Ｄと係合可能な第二係合部６３，８３を有するサブアーム８と、を備える。蓋２３，２８又はヘッドアーム９が第一位置にあるとき、搬送ローラ５１Ｄと第二係合部６３，８３とは係合しない。蓋２３，２８又はヘッドアーム９が第一位置から第二位置まで移動する過程で、搬送ローラ５１Ｄと第二係合部６３，８３とが係合又は接触し、係合又は接触した状態で、サブアーム８は第三位置から第四位置まで連動する。蓋２３，２８又はヘッドアーム９が第一位置から第二位置まで移動する過程で、搬送ローラ５１Ｄと第二係合部６３，８３とが係合又は接触した時の搬送ローラ５１Ｄと蓋２３，２８又はヘッドアーム９との間の最短距離よりも、サブアーム８が第四位置にあるときの搬送ローラ５１Ｄと蓋２３，２８又はヘッドアーム９との間の最短距離方が短い。
【０１２０】
従って、ヘッドホルダ５の搬送ローラ５１Ｄは、蓋２３，２８又はヘッドアーム９の第一位置から第二位置に回転途中に、サブアーム８の第二係合部６３，８３と係合又は接触し、その後、係合又は接触した状態で、蓋２３，２８又はヘッドアーム９は第二位置にサブアーム８と共に回転する。また、蓋２３，２８又はヘッドアーム９が第一位置から第二位置まで移動する過程で、搬送ローラ５１Ｄと第二係合部６３，８３とが係合又は接触した時の搬送ローラ５１Ｄと蓋２３，２８又はヘッドアーム９との間の最短距離よりも、サブアーム８が第四位置にあるときの搬送ローラ５１Ｄと蓋２３，２８又はヘッドアーム９との間の最短距離の方が短い。従って、サブアーム８がヘッドホルダ５と係合又は接触した状態で第四位置に回転しながら、ヘッドホルダ５のサーマルヘッド５０は蓋２３，２８又はヘッドアーム９側を向く。故に、カートリッジケース４を脱着する際に、サーマルヘッド５０に接触すること防止できる。
【０１２１】
第一実施形態〜第三実施形態において、熱転写プリンタ１Ａ，１Ｂ，１Ｃは、上側に開口部２１１，２６１を有し、且つ、媒体ロールＱを収容するケース２Ａ，２Ｂ，２Ｃと、ケース２Ａ，２Ｂ，２Ｃの内部に取り付けられ、インクリボンＲを装着可能なインクリボン支持部材３と、ケース２Ａ，２Ｂ，２Ｃ又はインクリボン支持部材３に回転可能に取り付けられ、ケース２Ａ，２Ｂ，２Ｃの近傍の第一位置と、ケース２Ａ，２Ｂ，２Ｃから第一位置より離れた第二位置とに移動可能な蓋２３，２８又はヘッドアーム９と、を備える。熱転写プリンタ１Ａ，１Ｂ，１Ｃは、蓋２３，２８又はヘッドアーム９に回転可能に取り付けられたヘッドホルダ５であって、サーマルヘッド５０を保持し、且つ、サーマルヘッド５０側の面の近傍に搬送ローラ５１Ｄを有するヘッドホルダ５と、インクリボン支持部材３に回転可能に取り付けられたサブアーム８であって、蓋２３，２８又はヘッドアーム９が第一位置から第二位置に移動することに応じ、第三位置から第四位置まで移動可能であり、搬送ローラ５１Ｄと係合可能な第二係合部６３，８３を有するサブアーム８と、を備える。蓋２３，２８又はヘッドアーム９が第一位置にあるとき、搬送ローラ５１Ｄと第二係合部６３，８３とは係合しない。蓋２３，２８又はヘッドアーム９が第一位置から第二位置まで移動する過程で、搬送ローラ５１Ｄと第二係合部６３，８３とが係合又は接触し、係合又は接触した状態で、サブアーム８は第三位置から第四位置まで連動する。サブアーム８が第四位置にある際の、サブアーム８がインクリボン支持部材３に回転可能に取り付けられた位置から第二係合部６３，８３までの距離は、ヘッドホルダ５が蓋２３，２８又はヘッドアーム９に回転可能に取り付けられた位置までの距離より短い。
【０１２２】
ヘッドホルダ５の搬送ローラ５１Ｄは、ヘッドホルダ５が蓋２３，２８又はヘッドアーム９の第一位置から第二位置に回転途中に、サブアーム８の第二係合部６３，８３と係合又は接触し、その後、係合又は接触した状態で、蓋２３，２８又はヘッドアーム９は第二位置にサブアーム８と共に回転する。また、サブアーム８が第四位置にある際の、サブアーム８がインクリボン支持部材３に回転可能に取り付けられた位置から第二係合部６３，８３までの距離は、ヘッドホルダ５が蓋２３，２８又はヘッドアーム９に回転可能に取り付けられた位置までの距離より短い。従って、サブアーム８がヘッドホルダ５と係合又は接触した状態で第四位置に回転しながら、ヘッドホルダ５のサーマルヘッド５０は蓋２３，２８又はヘッドアーム９側を向く。故に、カートリッジケース４を脱着する際に、サーマルヘッド５０に接触すること防止できる。
【０１２３】
第一実施形態〜第三実施形態において、搬送ローラ５１Ｄは、ヘッドホルダ５の内、サーマルヘッド５０が設けられた位置と、ヘッドホルダ５の第二軸Ｘ１２，Ｘ２２，Ｘ３２との間の位置に設けられる。搬送ローラ５１Ｄは、サーマルヘッド５０側の端部ではなく、サーマルヘッド５０が設けられた位置と、ヘッドホルダ５の第二軸Ｘ１２，Ｘ２２，Ｘ３２との間の位置に設けるので、サブアーム８のより少ない回転で、サーマルヘッド５０を蓋２３，２８又はヘッドアーム９に近づけることができる。
【０１２４】
第一実施形態〜第三実施形態において、第二係合部６３，８３は、搬送ローラ５１Ｄが係合する凹部６３Ａ、８３Ａを有する。ヘッドホルダ５を第二係合部６３，８３から容易に取り外すことができ、ヘッドホルダ５を回転可能な状態にできるので、サーマルヘッド５０の交換やメンテナンスが容易となる。
【０１２５】
第一実施形態〜第三実施形態において、サーマルヘッド５０の加熱面は、ヘッドホルダ５が第一位置に配置された状態で下側を向き、第四位置にあるサブアーム８の第二係合部６３，８３に搬送ローラ５１Ｄが係合した状態で、蓋２３，２８又はヘッドアーム９側を向く。第四位置に位置する時、サブアーム８の第二係合部６３，８３は搬送ローラ５１Ｄと係合した状態で、ヘッドホルダ５のサーマルヘッド５０の過熱面は蓋２３，２８又はヘッドアーム９側を向く。故に、カートリッジケース４を脱着する際に、サーマルヘッド５０に接触すること防止できる。
【０１２６】
第一実施形態、第三実施形態において、ケース２Ａ，２Ｂ，２Ｃは、上側に開口部２１１，２６１を有し、媒体ロールＱを収容する媒体収容領域２１２，２６２を有する第一ケース２１，２６と、第一ケース２１，２６に開閉可能に取り付けられ、上側に開口部２２２、２７２を有し且つ下側に開口部２２１、２７１を有し、第一ケース２１，２６より上側に配置されている第二ケース２２、２７と、を有する。インクリボン支持部材３は、第一ケース２１，２６に開閉可能に取り付けられている。媒体ロールＱを交換する場合は、第二ケース２２、２７を開き、インクリボンＲを交換する場合は、蓋部２３，２８を開く。従って、消費材を交換する場合に、その種別により操作箇所が異なるので、使用者は、交換する消費材へのアクセスがより分かり易くなる。
【０１２７】
第二実施形態において、ケース２Ｂは、上側に開口部２１１を有し、媒体ロールＱを収容する媒体収容領域２１２を有する第一ケース２１と、第一ケース２１に開閉可能に取り付けられ、下側に開口部２４１を有する第二ケース２４と、を有する。インクリボン支持部材３は、第一ケース２１に開閉可能に取り付けられ、ヘッドアーム９は、インクリボン支持部材３に回転可能に取り付けられている。こうすることで、装置を小型化できる。
【０１２８】
第一実施形態〜第三実施形態において、カートリッジケース４又はインクリボン支持部材３は、サブアーム８が第三位置に対して第四位置と反対側に移動することを規制する。サブアーム８がインクリボンＲに接触してしまうのを防ぐことができる。
【０１２９】
第一実施形態〜第三実施形態において、インクリボンＲは、インクリボン支持部材３に装着されるカートリッジケース４に収容され、ヘッドアーム９は、第三位置に配置された状態で、インクリボン支持部材３に装着された状態のカートリッジケース４に接触する。インクリボン支持部材３が固定されていない場合であっても、カートリッジケース４を介してインクリボン支持部材３を固定できる。
【０１３０】
第一実施形態〜第三実施形態において、蓋２３，２８又はヘッドアーム９が第二位置に配置された状態で、ヘッドホルダ５は、インクリボン支持部材３に装着されたインクリボンＲ、又はカートリッジケース４のうち蓋２３，２８又はヘッドアーム９の回転軸（例えば、第三軸Ｘ１３）に近接する端部より、回転軸側に位置する。蓋２３，２８，２９Ｂを開放した際に、ヘッドホルダ５は、インクリボンＲ又はカートリッジケース４の端部の内で蓋２３，２８又はヘッドアーム９の回転軸に近接する端部より回転軸側に位置しているので、インクリボンＲ又はカートリッジケース４を脱着し易い。
【０１３１】
＜変形例＞
本発明は、上記実施形態に限定されず、種々の変更が可能である。以下、特に説明のない限り、第一実施形態を例に挙げて変形例を説明するが、適宜、第二実施形態〜第四実施形態にも適用可能であることはいうまでもない。
【０１３２】
インクリボン支持部材３は、第二ケース２２に直接、又は例えば、第二ケース２２に取り付けられた連結部材を介して回転可能に支持されてもよい。
【０１３３】
蓋２３が第一位置（閉塞位置）に配置された状態において、蓋２３は前端部と両側端部が、下側方向に湾曲又は曲折され、前端部と両側端部の下側端部の上下方向の位置が同じであってもよい。こうすることで、蓋２３の下側端部の上下方向の位置が揃うので、美観を損ねない。また、蓋２３を製作するための金型を簡易化できるので、コストが削減できる。
【０１３４】
蓋２３が第一位置（閉塞位置）に配置された状態において、蓋２３の下面がインクリボン支持部材３に装着されたカートリッジケース４に接触するようにしてもよい。こうすることで、インクリボン支持部材３が固定されていない場合であっても、カートリッジケース４を介してインクリボン支持部材３を固定できる。
【０１３５】
蓋２３を開閉する第一軸Ｘ１１は、第二ケース２２を前後方向に三分割した真ん中の領域に位置してもよい。こうすることで、印刷媒体が巻回された媒体ロールＱを収容する媒体収容領域２１２に繋がる隙間を狭くできるので、第二ケース２２を開放した状態で媒体ロールＱにアクセスするのを難しくできる。
【０１３６】
サブアーム８は、直接又は連結部材を介して第二ケース２２に回転可能に支持されてもよい。
【０１３７】
インクリボン支持部材３は、第二ケース２２に、直接又は連結部材を介して回転可能に支持されてもよいし、第一ケース２１又は第二ケースに固定されてもよい。
【０１３８】
インクリボンＲが巻回されたリボンロールＲ１，Ｒ２は、カートリッジケース４に収容してインクリボン支持部材３に装着することなく、インクリボン支持部材３に直接装着してもよい。
【０１３９】
媒体ロールQの少なくとも一部は、第一ケース２１の上端部から上側にはみ出ていてもよい。
【０１４０】
＜その他＞
第一実施形態における蓋２３、第二実施形態におけるヘッドアーム９、及び、第三実施形態における蓋２８は、本発明の「移動部材」の一例である。搬送ローラ５１Ｄは、本発明の「第一係合部」の一例である。サブアーム８は、本発明の「アーム」の一例である。
【符号の説明】
【０１４１】
１Ａ、１Ｂ、１Ｃ      ：熱転写プリンタ
２Ａ、２Ｂ、２Ｃ      ：ケース
３        ：インクリボン支持部材
４        ：カートリッジケース
５        ：ヘッドホルダ
６        ：サブアーム
７        ：インクリボン支持部材
８        ：サブアーム
９        ：ヘッドアーム
２１、２６      ：第一ケース
２２、２４、２７      ：第二ケース
２３、２８      ：蓋
５０      ：サーマルヘッド
５１Ｄ      ：搬送ローラ
６３、８３      ：第二係合部
６３Ａ、８３Ａ      ：凹部
２１２、２６２    ：媒体収容領域
２１１，２２１、２２２、２６１、２７１、２７２    ：開口部
Ｑ        ：媒体ロール
Ｒ        ：インクリボン
Ｘ１２、Ｘ２２、Ｘ３２      ：第二軸
Ｘ１５、Ｘ２５、Ｘ３５      ：第五軸
【図１】
2019077059.tif 000003
【図２】
2019077059.tif 000004
【図３】
2019077059.tif 000005
【図４】
2019077059.tif 000006
【図５】
2019077059.tif 000007
【図６】
2019077059.tif 000008
【図７】
2019077059.tif 000009
【図８】
2019077059.tif 000010
【図９】
2019077059.tif 000011
【図１０】
2019077059.tif 000012
【図１１】
2019077059.tif 000013
【図１２】
2019077059.tif 000014
【図１３】
2019077059.tif 000015
【図１４】
2019077059.tif 000016
【図１５】
2019077059.tif 000017
【図１６】
2019077059.tif 000018
【図１７】
2019077059.tif 000019
【図１８】
2019077059.tif 000020
【図１９】
2019077059.tif 000021
【図２０】
2019077059.tif 000022
【図２１】
2019077059.tif 000023
【図２２】
2019077059.tif 000024
【図２３】
2019077059.tif 000025
【図２４】
2019077059.tif 000026
【図２５】
2019077059.tif 000027